(57)【要約】【課題】集束手段と光ディスクとの衝突を低減した光ディスク装置を提供する。【解決手段】本発明の光ディスク装置は、それぞれ異なる開口数に対応する少なくとも２種類の光ディスクにアクセスする光ディスク装置であって、光ディスクの情報面に光ビームを集束する開口数変更可能な集束部３０２と、集束部３０２によって光ビームを照射された光ディスク１０２からの反射光を検出する検出部１１２と、集束部３０２の開口数を異なる開口数のうちで最小の第１開口数に設定する設定制御部３０３と、設定制御部３０６によって設定された第１開口数で光ビームが照射された光ディスク１０２からの反射光の検出結果に応じた信号に基づいて、装填された光ディスク１０２の種類を判別する光ディスク判別制御部３０４とを具備する。【選択図】図１８
2004311004.tif 000002
【特許請求の範囲】
【請求項１】
それぞれ異なる開口数に対応する少なくとも２種類の光ディスクを判別する光ディスク判別方法であって、
光ディスクの情報面に光ビームを集束する集束手段の開口数を、前記異なる開口数のうちで最小の第１開口数に設定する設定工程と、
前記設定工程で設定された第１開口数を用いて光ディスクの種類を判別する判別工程と、
を含む光ディスク判別方法。
【請求項２】
それぞれ異なる開口数に対応する少なくとも２種類の光ディスクにアクセスする光ディスク装置を制御して光ディスクの種類を判別する光ディスク判別制御装置であって、
光ディスクの情報面に光ビームを集束する集束手段の開口数を、前記異なる開口数のうちで最小の第１開口数に設定する制御を行う設定制御手段と、
前記設定制御手段によって設定された第１開口数を用いて前記光ディスク装置に装填された光ディスクの種類を判別する制御を行う判別制御手段と、
を具備する光ディスク判別制御装置。
【請求項３】
それぞれ異なる開口数に対応する少なくとも２種類の光ディスクにアクセスする光ディスク装置であって、
光ディスクの情報面に光ビームを集束する開口数変更可能な集束手段と、
前記集束手段によって光ビームを照射された光ディスクからの反射光を検出する検出手段と、
前記集束手段の開口数を前記異なる開口数のうちで最小の第１開口数に設定する設定手段と、
前記設定手段によって設定された第１開口数で光ビームが照射された光ディスクからの反射光の検出結果に応じた信号に基づいて、装填された光ディスクの種類を判別する判別手段と、
を具備する光ディスク装置。
【請求項４】
前記設定手段は、前記異なる開口数のうちで小さい開口数から順に設定していき、
前記判別手段は、前記設定手段によって設定された開口数で光ビームが照射された光ディスクからの反射光の検出結果に応じた信号に基づいて、装填された光ディスクの種類が前記開口数に対応する種類であるか否かを判別していく請求項３に記載の光ディスク装置。
【請求項５】
前記異なる開口数に対応する異なる波長の光ビームを選択的に出力する光源手段と、
前記設定手段が前記集束手段の開口数を前記第１開口数に設定する場合に、前記光源手段が出力する光ビームの波長を前記異なる波長のうちで最長の第１波長に設定する波長設定手段と、
を具備し、
前記集束手段は、前記光源手段からの光ビームを集束する請求項３に記載の光ディスク装置。
【請求項６】
前記異なる開口数に対応する異なる波長の光ビームを選択的に出力する光源手段を具備し、
前記集束手段は、前記光源手段からの光ビームを集束し、
前記集束手段の開口数は、集束する光ビームの波長に応じて変化し、
前記設定手段は、前記光源手段が出力する光ビームの波長を前記異なる波長のうちで最長の第１波長に設定することによって、前記集束手段の開口数を前記第１開口数に設定する請求項３に記載の光ディスク装置。
【請求項７】
前記設定手段は、前記異なる開口数のうちで小さい開口数から順に設定していき、
前記設定手段または前記波長設定手段は、前記異なる波長のうちで長い波長から順に設定していき、
前記判別手段は、前記設定された開口数および波長で光ビームが照射された光ディスクからの反射光の検出結果に応じた信号に基づいて、装填された光ディスクの種類が前記開口数および波長に対応する種類であるか否かを判別していく請求項５または６に記載の光ディスク装置。
【請求項８】
前記少なくとも２種類の光ディスクは、光ビームが通過するそれぞれ異なる厚さの光ビーム通過層を有し、
光ディスクの情報面上に集束された光ビームスポットに発生する球面収差を補正する球面収差補正手段と、
前記設定手段が前記集束手段の開口数を前記第１開口数に設定する場合に、前記球面収差補正手段の補正量を、前記異なる厚さのうちで最大の厚さに応じた第１補正量に設定する球面収差設定手段と、
を具備する請求項５または６に記載の光ディスク装置。
【請求項９】
前記設定手段は、前記異なる開口数のうちで小さい開口数から順に設定していき、
前記設定手段または前記波長設定手段は、前記異なる波長のうちで長い波長から順に設定していき、
前記球面収差補正手段は、前記異なる厚さに対応する補正量のうちで厚い層に対応する補正量から順に設定していき、
前記判別手段は、前記設定された開口数、波長および補正量で光ビームが照射された光ディスクからの反射光の検出結果に応じた信号に基づいて、装填された光ディスクの種類が前記開口数、波長および補正量に対応する種類であるか否かを判別していく請求項８に記載の光ディスク装置。
【請求項１０】
前記異なる厚さは、１．２＋０．３〜１．２−０．１ミリメートル、０．６＋０．５３〜０．６−０．５ミリメートル、１００＋５〜１００−５マイクロメートルおよび７５＋５〜７５−５マイクロメートルの少なくとも１つを含む請求項８または９に記載の光ディスク装置。
【請求項１１】
前記異なる波長は、４００〜４１０ナノメートル、６４５〜６６０ナノメートルおよび７７５〜７９５ナノメートルの少なくとも１つを含む請求項５から１０のいずれか１つに記載の光ディスク装置。
【請求項１２】
前記異なる開口数は、０．８５＋０．０１〜０．８５−０．０１、０．６＋０．０１〜０．６−０．０１および０．５０＋０．０１〜０．５０−０．０１の少なくとも１つを含む請求項３から１１のいずれか１つに記載の光ディスク装置。
【請求項１３】
前記異なる波長は、４０５＋５〜４０５−５ナノメートル、６５０＋５〜６５０−５ナノメートルおよび７８０＋１０〜７８０−１０ナノメートルの少なくとも１つを含む請求項５から１０のいずれか１つに記載の光ディスク装置。
【請求項１４】
前記異なる開口数は、０．８５＋０．０１〜０．８５−０．０１、０．６＋０．０１〜０．６−０．０１および０．４５＋０．０１〜０．４５−０．０１の少なくとも１つを含む請求項３から１０または１３のいずれか１つに記載の光ディスク装置。
【請求項１５】
前記反射光の検出結果に応じた信号は、フォーカスの誤差を示すフォーカスエラー信号、トラッキングの誤差を示すトラッキングエラー信号、前記反射光の光量を示す全光信号および再生信号の少なくとも１つを含む請求項３から１４のいずれか１つに記載の光ディスク装置。
【請求項１６】
それぞれ異なる開口数に対応する少なくとも２種類の情報面を判別する情報面判別方法であって、
光ディスクの情報面に光ビームを集束する集束手段の開口数を、前記異なる開口数のうちで最小の第１開口数に設定する設定工程と、
前記設定された第１開口数を用いて情報面の種類を判別する判別工程と、
を含む情報面判別方法。
【請求項１７】
それぞれ異なる開口数に対応する少なくとも２種類の情報面にアクセスする光ディスク装置を制御して情報面の種類を判別する情報面判別制御装置であって、
光ディスクの情報面に光ビームを集束する集束手段の開口数を、前記異なる開口数のうちで最小の第１開口数に設定する制御を行う設定制御手段と、
前記設定された第１開口数を用いて、前記光ディクス装置に装填された光ディスクの情報面の種類を判別する制御を行う判別制御手段と、
を含む情報面判別制御装置。
【請求項１８】
それぞれ異なる開口数に対応する少なくとも２種類の情報面にアクセスする光ディスク装置であって、
光ディスクの情報面に光ビームを集束する開口数変更可能な集束手段と、
前記集束手段によって光ビームを照射された情報面からの反射光を検出する検出手段と、
前記集束手段の開口数を前記異なる開口数のうちで最小の第１開口数に設定する設定手段と、
前記設定手段によって設定された第１開口数で光ビームが照射された光ディスクからの反射光の検出結果に応じた信号に基づいて、装填された光ディスクの情報面の種類を判別する判別手段と、
を含む光ディスク装置。
【請求項１９】
光ディスクの情報面の層数をカウントするカウント手段を具備する請求項１８に記載の光ディスク装置。
【請求項２０】
前記少なくとも２種類の情報面は、光ディスクの表面からそれぞれ異なる距離だけ離れた位置に配置され、
前記情報面と略垂直な方向に前記集束手段を移動させる垂直移動手段と、
前記判別手段が情報面の判別を行う場合に、前記垂直移動手段を駆動し、前記表面から異なる距離だけ離れた位置のうちで、表面から遠い位置から順に光ビームが集束されるように制御する移動制御手段と、
を具備する請求項１８または１９に記載の光ディスク装置。
【請求項２１】
情報面上の光ビームの集束状態に対応した信号を生成する集束状態検出手段と、
前記集束状態検出手段の信号に応じて前記垂直移動手段を駆動し、所望の情報面上に光ビームが集束されるように制御するフォーカス制御手段と、
を具備し、
前記フォーカス制御手段は、前記判別手段による判別のあと、前記判別手段による判別結果に基づいて、前記少なくとも２種類の情報面のうちで所望の情報面に最初にフォーカスを引き込む請求項２０に記載の光ディスク装置。
【請求項２２】
情報面に応じて球面収差を補正する球面収差補正手段と、
前記フォーカス制御手段が所望の情報面にフォーカスを引き込む場合に、前記球面収差補正手段の補正量を、前記所望の情報面に応じた補正量に設定する球面収差設定手段と、
を具備する請求項２１に記載の光ディスク装置。
【請求項２３】
前記光ディスクの情報面上の光ビームの集束状態に対応した信号を生成する集束状態検出手段と、
前記集束状態検出手段の信号に応じて前記垂直移動手段を駆動し、所望の情報面上に光ビームが集束されるように制御するフォーカス制御手段と、
を具備し、
前記集束手段の開口数を順次に切り換え設定し、かつ、各開口数での集束手段を光ディスクに接近離間させ、そのときの出力される集束状態検出手段の信号を、それぞれ記憶する記憶手段と
を具備し、
前記フォーカス制御手段は、前記記憶手段で記憶された集束状態検出手段の信号に基づき、引き込みを行う際に、集束状態検出手段の信号の振幅および/またはバランスの補正を行う請求項２０に記載の光ディスク装置。
【請求項２４】
前記光ディスクの情報面上の光ビームの集束状態に対応した信号を生成する集束状態検出手段と、
前記集束状態検出手段の信号に応じて前記垂直移動手段を駆動し、所望の情報面上に光ビームが集束されるように制御するフォーカス制御手段と、
前記集束手段の開口数を順次に切り換え設定し、かつ、各開口数での集束手段を光ディスクに接近離間させ、そのときの出力される集束状態検出手段の信号を、それぞれ記憶する記憶手段と、
前記集束状態検出手段の信号に基づき、光ディスクの任意の情報面から他の情報面に向かって光ビームを移動する層間ジャンプ手段と、
を具備し、
前記層間ジャンプ手段は、前記記憶手段で記憶された集束状態検出手段の信号に基づき、層間の移動を行う際に、前記集束状態検出手段の信号の振幅および/またはバランスの補正を行う請求項２０に記載の光ディスク装置。
【発明の詳細な説明】
【技術分野】
【０００１】
本発明は、それぞれ異なる開口数に対応する少なくとも２種類の光ディスクを判別する光ディスク判別方法、光ディスク装置を制御して光ディスクの種類を判別する光ディスク判別制御装置、それぞれ異なる開口数に対応する少なくとも２種類の光ディスクまたは情報面にアクセスする光ディスク装置、それぞれ異なる開口数に対応する少なくとも２種類の情報面を判別する情報面判別方法、および光ディスク装置を制御して情報面の種類を判別する情報面判別制御装置に関する。
【背景技術】
【０００２】
現在、音楽ＣＤ、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、＋ＲＷ、＋Ｒ等の光ディスクが普及している。また、開口数（ＮＡ）０．８以上の光学レンズを用いてアクセスする光ディスクも検討されている。これらの光ディスクでは、異なるＮＡの対物レンズ（光学レンズ）、異なる波長のレーザ、および異なる球面収差の補正量でアクセスが行われている。
【０００３】
従来の光ディスク装置は、複数種類の情報担体の情報を再生する、あるいは複数種類の情報担体に情報を記録する装置であって、所定の波長の光源を発光し、その所定の波長の光源がその判別された情報担体の種類と合わない場合は別の波長の光源を発光させ、最終的に、装着された情報担体に合う波長の光源を見つける。ここで、異なる波長の各光源を切り換える順番は、長い方の波長の光源から短い方の光源へ発光を切り換える（例えば、特許文献１参照）。
【０００４】
また、対物レンズを情報媒体の遠いところから近づけていき、あるいは近いところから遠ざけていき、フォーカスエラー信号（ＦＥ信号）があるしきい値をこえたら、フォーカスサーボループをＯＮにするものもある。また、情報媒体の基板の厚みｔ１に対応したフォーカス制御を行い、トラッキング制御を行って情報信号を検出し、情報信号の振幅が一定以上得られなかった場合には、基板の厚みｔ２（ｔ２＜ｔ１）に対応した焦点制御を行うものもある（例えば、特許文献２参照）。
【０００５】
また、ディスク基板の厚さの異なるＮ（Ｎ≧２）個の光ディスクに対応したＮ個の集束光学系を備え、ディスクからの反射レーザ光によってディスク基板の板厚の違いを判別するものもある（例えば、特許文献３参照）。
【０００６】
また、光学系の特性を補償する複数の補償板と、記録再生されるべきディスクの物理的特性を検出する検出装置とを備えるものもある（例えば、特許文献４参照）。
【０００７】
また、光ディスクのリードイン領域からのデータを読み取ることによって、情報層の数およびピットの配置を判別するものもある（例えば、特許文献５参照）。
【０００８】
また、光束を可動部材に固定された複数のレンズの中から選ばれた１つのレンズによって集束光として記録媒体に照射するものもある（例えば、特許文献６参照）。
【０００９】
また、３つの波長を有し、対物レンズの倍率変化により球面収差の補正を行い、波長選択開口によりＮＡの制御を行うものもある（例えば、非特許文献７参照）。
【特許文献１】特開平１１−１７６０７３号公報（請求項１、５）
【特許文献２】特開平７−９８４３１号公報（図２６、４６、段落００７２、００７３、０１１６）
【特許文献３】特開平４−９５２２４号公報（請求項１、頁７左下段７〜１４行目）
【特許文献４】特開平４−３７２７３４号公報（請求項１、図１、段落００１４）
【特許文献５】米国特許第５５８７９８１号公報（請求項１、図２）
【特許文献６】特開平８−１３８２６１号公報（請求項１、図２）
【非特許文献１】片山  龍一  著「青色／ＤＶＤ／ＣＤ互換光ヘッド」応用物理学会、応用物理２００２年８月号１９〜２３頁
【発明の開示】
【発明が解決しようとする課題】
【００１０】
しかしながら、上述した技術によれば、集光手段の開口数を切り換えて複数種類の光ディスクまたは複数種類の情報面にアクセスする場合、最小の開口数に設定して光ディスクまたは情報面の判別を行わないため、判別の際に集束手段が光ディスクに衝突するおそれが高くなるという問題点があった。
【００１１】
本発明は上記に鑑みてなされたものであり、本発明の目的は、集束手段と光ディスクとの衝突を低減した光ディスク装置を提供することにある。
【課題を解決するための手段】
【００１２】
本発明の光ディスク判別方法は、それぞれ異なる開口数に対応する少なくとも２種類の光ディスクを判別する光ディスク判別方法であって、光ディスクの情報面に光ビームを集束する集束手段の開口数を、前記異なる開口数のうちで最小の第１開口数に設定する設定工程と、前記設定工程で設定された第１開口数を用いて光ディスクの種類を判別する判別工程とを含む。
【００１３】
本発明の光ディスク判別制御装置は、それぞれ異なる開口数に対応する少なくとも２種類の光ディスクにアクセスする光ディスク装置を制御して光ディスクの種類を判別する光ディスク判別制御装置であって、光ディスクの情報面に光ビームを集束する集束手段の開口数を、前記異なる開口数のうちで最小の第１開口数に設定する制御を行う設定制御手段と、前記設定制御手段によって設定された第１開口数を用いて前記光ディスク装置に装填された光ディスクの種類を判別する制御を行う判別制御手段とを具備する。
【００１４】
本発明の光ディスク装置は、それぞれ異なる開口数に対応する少なくとも２種類の光ディスクにアクセスする光ディスク装置であって、光ディスクの情報面に光ビームを集束する開口数変更可能な集束手段と、前記集束手段によって光ビームを照射された光ディスクからの反射光を検出する検出手段と、前記集束手段の開口数を前記異なる開口数のうちで最小の第１開口数に設定する設定手段と、前記設定手段によって設定された第１開口数で光ビームが照射された光ディスクからの反射光の検出結果に応じた信号に基づいて、装填された光ディスクの種類を判別する判別手段とを具備する。
【００１５】
好ましい実施形態において、前記設定手段は、前記異なる開口数のうちで小さい開口数から順に設定していき、前記判別手段は、前記設定手段によって設定された開口数で光ビームが照射された光ディスクからの反射光の検出結果に応じた信号に基づいて、装填された光ディスクの種類が前記開口数に対応する種類であるか否かを判別していく。
【００１６】
好ましい実施形態において、前記異なる開口数に対応する異なる波長の光ビームを選択的に出力する光源手段と、前記設定手段が前記集束手段の開口数を前記第１開口数に設定する場合に、前記光源手段が出力する光ビームの波長を前記異なる波長のうちで最長の第１波長に設定する波長設定手段と、を具備し、前記集束手段は、前記光源手段からの光ビームを集束する。
【００１７】
好ましい実施形態において、前記異なる開口数に対応する異なる波長の光ビームを選択的に出力する光源手段を具備し、前記集束手段は、前記光源手段からの光ビームを集束し、前記集束手段の開口数は、集束する光ビームの波長に応じて変化し、前記設定手段は、前記光源手段が出力する光ビームの波長を前記異なる波長のうちで最長の第１波長に設定することによって、前記集束手段の開口数を前記第１開口数に設定する。
【００１８】
好ましい実施形態において、前記設定手段は、前記異なる開口数のうちで小さい開口数から順に設定していき、前記設定手段または前記波長設定手段は、前記異なる波長のうちで長い波長から順に設定していき、前記判別手段は、前記設定された開口数および波長で光ビームが照射された光ディスクからの反射光の検出結果に応じた信号に基づいて、装填された光ディスクの種類が前記開口数および波長に対応する種類であるか否かを判別していく。
【００１９】
好ましい実施形態において、前記少なくとも２種類の光ディスクは、光ビームが通過するそれぞれ異なる厚さの光ビーム通過層を有し、光ディスクの情報面上に集束された光ビームスポットに発生する球面収差を補正する球面収差補正手段と、前記設定手段が前記集束手段の開口数を前記第１開口数に設定する場合に、前記球面収差補正手段の補正量を、前記異なる厚さのうちで最大の厚さに応じた第１補正量に設定する球面収差設定手段とを具備する。
【００２０】
好ましい実施形態において、前記設定手段は、前記異なる開口数のうちで小さい開口数から順に設定していき、前記設定手段または前記波長設定手段は、前記異なる波長のうちで長い波長から順に設定していき、前記球面収差補正手段は、前記異なる厚さに対応する補正量のうちで厚い層に対応する補正量から順に設定していき、前記判別手段は、前記設定された開口数、波長および補正量で光ビームが照射された光ディスクからの反射光の検出結果に応じた信号に基づいて、装填された光ディスクの種類が前記開口数、波長および補正量に対応する種類であるか否かを判別していく。
【００２１】
好ましい実施形態において、前記異なる厚さは、１．２＋０．３〜１．２−０．１ミリメートル、０．６＋０．５３〜０．６−０．５ミリメートル、１００＋５〜１００−５マイクロメートルおよび７５＋５〜７５−５マイクロメートルの少なくとも１つを含む。
【００２２】
好ましい実施形態において、前記異なる波長は、４００〜４１０ナノメートル、６４５〜６６０ナノメートルおよび７７５〜７９５ナノメートルの少なくとも１つを含む。
【００２３】
好ましい実施形態において、前記異なる開口数は、０．８５＋０．０１〜０．８５−０．０１、０．６＋０．０１〜０．６−０．０１および０．５０＋０．０１〜０．５０−０．０１の少なくとも１つを含む。
【００２４】
好ましい実施形態において、前記異なる波長は、４０５＋５〜４０５−５ナノメートル、６５０＋５〜６５０−５ナノメートルおよび７８０＋１０〜７８０−１０ナノメートルの少なくとも１つを含む。
【００２５】
好ましい実施形態において、前記異なる開口数は、０．８５＋０．０１〜０．８５−０．０１、０．６＋０．０１〜０．６−０．０１および０．４５＋０．０１〜０．４５−０．０１の少なくとも１つを含む。
【００２６】
好ましい実施形態において、前記反射光の検出結果に応じた信号は、フォーカスの誤差を示すフォーカスエラー信号、トラッキングの誤差を示すトラッキングエラー信号、前記反射光の光量を示す全光信号および再生信号の少なくとも１つを含む。
【００２７】
本発明の情報面判別方法は、それぞれ異なる開口数に対応する少なくとも２種類の情報面を判別する情報面判別方法であって、光ディスクの情報面に光ビームを集束する集束手段の開口数を、前記異なる開口数のうちで最小の第１開口数に設定する設定工程とも前記設定された第１開口数を用いて情報面の種類を判別する判別工程とを含む。
【００２８】
本発明の情報面判別制御装置は、それぞれ異なる開口数に対応する少なくとも２種類の情報面にアクセスする光ディスク装置を制御して情報面の種類を判別する情報面判別制御装置であって、光ディスクの情報面に光ビームを集束する集束手段の開口数を、前記異なる開口数のうちで最小の第１開口数に設定する制御を行う設定制御手段と、前記設定された第１開口数を用いて、前記光ディクス装置に装填された光ディスクの情報面の種類を判別する制御を行う判別制御手段とを含む。
【００２９】
本発明の光ディスク装置は、それぞれ異なる開口数に対応する少なくとも２種類の情報面にアクセスする光ディスク装置であって、光ディスクの情報面に光ビームを集束する開口数変更可能な集束手段と、前記集束手段によって光ビームを照射された情報面からの反射光を検出する検出手段と、前記集束手段の開口数を前記異なる開口数のうちで最小の第１開口数に設定する設定手段と、前記設定手段によって設定された第１開口数で光ビームが照射された光ディスクからの反射光の検出結果に応じた信号に基づいて、装填された光ディスクの情報面の種類を判別する判別手段とを含む。
【００３０】
好ましい実施形態において、光ディスクの情報面の層数をカウントするカウント手段を具備する。
【００３１】
好ましい実施形態において、前記少なくとも２種類の情報面は、光ディスクの表面からそれぞれ異なる距離だけ離れた位置に配置され、前記情報面と略垂直な方向に前記集束手段を移動させる垂直移動手段と、前記判別手段が情報面の判別を行う場合に、前記垂直移動手段を駆動し、前記表面から異なる距離だけ離れた位置のうちで、表面から遠い位置から順に光ビームが集束されるように制御する移動制御手段とを具備する。
【００３２】
好ましい実施形態において、情報面上の光ビームの集束状態に対応した信号を生成する集束状態検出手段と、前記集束状態検出手段の信号に応じて前記垂直移動手段を駆動し、所望の情報面上に光ビームが集束されるように制御するフォーカス制御手段と、を具備し、前記フォーカス制御手段は、前記判別手段による判別のあと、前記判別手段による判別結果に基づいて、前記少なくとも２種類の情報面のうちで所望の情報面に最初にフォーカスを引き込む。
【００３３】
好ましい実施形態において、情報面に応じて球面収差を補正する球面収差補正手段と、前記フォーカス制御手段が所望の情報面にフォーカスを引き込む場合に、前記球面収差補正手段の補正量を、前記所望の情報面に応じた補正量に設定する球面収差設定手段とを具備する。
【００３４】
好ましい実施形態において、前記光ディスクの情報面上の光ビームの集束状態に対応した信号を生成する集束状態検出手段と、前記集束状態検出手段の信号に応じて前記垂直移動手段を駆動し、所望の情報面上に光ビームが集束されるように制御するフォーカス制御手段と、を具備し、前記集束手段の開口数を順次に切り換え設定し、かつ、各開口数での集束手段を光ディスクに接近離間させ、そのときの出力される集束状態検出手段の信号を、それぞれ記憶する記憶手段とを具備し、前記フォーカス制御手段は、前記記憶手段で記憶された集束状態検出手段の信号に基づき、引き込みを行う際に、集束状態検出手段の信号の振幅および/またはバランスの補正を行う。
【００３５】
好ましい実施形態において、前記光ディスクの情報面上の光ビームの集束状態に対応した信号を生成する集束状態検出手段と、前記集束状態検出手段の信号に応じて前記垂直移動手段を駆動し、所望の情報面上に光ビームが集束されるように制御するフォーカス制御手段と、前記集束手段の開口数を順次に切り換え設定し、かつ、各開口数での集束手段を光ディスクに接近離間させ、そのときの出力される集束状態検出手段の信号を、それぞれ記憶する記憶手段と、前記集束状態検出手段の信号に基づき、光ディスクの任意の情報面から他の情報面に向かって光ビームを移動する層間ジャンプ手段と、を具備し、前記層間ジャンプ手段は、前記記憶手段で記憶された集束状態検出手段の信号に基づき、層間の移動を行う際に、前記集束状態検出手段の信号の振幅および/またはバランスの補正を行う。
【発明の効果】
【００３６】
本発明によれば、光ディスクの情報面に光ビームを集束する集束手段の開口数を、異なる開口数のうちで最小の第１開口数に設定し、設定された第１開口数を用いて光ディスクの種類を判別するため、集束手段と光ディスクとの衝突を低減することができる。
【発明を実施するための最良の形態】
【００３７】
以下に、添付の図面を参照しながら、本発明の実施形態を詳細に説明する。なお、本実施形態によって本発明が限定されるものではない。
【００３８】
（実施形態１）
図１は、本発明の実施形態１に係る光ディスク判別制御部を示す図である。実施形態１の光ディスク判別制御部１０４は、それぞれ異なる開口数に対応する少なくとも２種類の情報担体１０２の種類を判別する。光ディスク判別制御部１０４は、情報担体１０２にアクセスする光ディスク装置１００を制御する。光ディスク判別制御部１０４は、例えば、光ディスク装置１００の電源を立ち上げた場合や、光ディスク装置１００に情報担体１０２が装填された場合に、光ディスク装置１００に装填された情報担体１０２の種類を判別する。判別する情報担体の種類の数は、特に限定されず、２種類であってもよいし、３種類以上であってもよい。
【００３９】
光ディスク判別制御部１０４は、設定制御部１０６と判別制御部１０８とを備える。設定制御部１０６は、情報担体１０２の情報面に光ビームを集束する集束部の開口数を、異なる開口数のうちで最小の第１開口数に設定するように集束部を制御する。あるいは、設定制御部１０６は、集束部の開口数を、異なる開口数に含まれる少なくとも１つの開口数に比べて大きい第２開口数に設定するように集束部を制御してもよい。第２開口数は、異なる開口数に含まれるものであってもよいし、含まれないものであってもよい。また、設定制御部１０６は、第１開口数に設定したあと、異なる開口数のうちで小さい開口数から順に設定していってもよい。
【００４０】
判別制御部１０８は、設定制御部１０６によって設定された第１開口数を用いて光ディスク装置１００に装填された情報担体１０２の種類を判別する制御を行う。判別制御部１０８は、第１開口数を用いて全ての情報担体１０２の種類を判別してもよい。また、設定制御部１０６が異なる開口数のうちで小さい開口数から順に設定していく場合、判別制御部１０８は、設定制御部１０６によって設定された開口数で光ビームが照射された情報担体１０２からの反射光の検出結果に応じた信号に基づいて、装填された情報担体１０２の種類がその開口数に対応する種類であるか否かを判別していってもよい。
【００４１】
情報担体１０２は、光ビームによってアクセスすることが可能な記録媒体である。情報担体１０２は、例えば、積層された１または複数の情報面を有する。情報担体１０２は、例えば、光ディスクである。情報担体１０２は、音楽ＣＤ、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、＋ＲＷ、＋Ｒ等であってもよいし、青色または青紫光の光ビームを使用してアクセスする高密度の光ディスクであってもよい。
【００４２】
異なる開口数は、０．８５＋０．０１〜０．８５−０．０１、０．６＋０．０１〜０．６−０．０１および０．５０＋０．０１〜０．５０−０．０１の少なくとも１つを含むものであってもよい。また、異なる開口数は、０．８５＋０．０１〜０．８５−０．０１、０．６＋０．０１〜０．６−０．０１および０．４５＋０．０１〜０．４５−０．０１の少なくとも１つを含むものであってもよい。さらに、異なる開口数は、上記以外の開口数を含むものであってもよい。
【００４３】
図２は、図１に示した光ディスク装置１００の概略構成を示す図である。光ディスク装置１００は、集束部１１０と、検出部１１２と、信号生成部１１４と、光ディスク判別制御部１０４と、を備える。集束部１１０は、情報担体１０２の情報面に光ビームを集束する。集束部１１０は、例えば、光学レンズ（対物レンズ）を有する。集束部１１０は、開口数切換可能となっている。開口数の切り換えは、例えば、光ビームが通過する対物レンズや補償板を切り換えることによって行ってもよい。また、開口数の切り換えは、機械的に行ってもよい。
【００４４】
検出部１１２は、集束部１１０によって光ビームを照射された情報担体１０２からの反射光を検出する。信号生成部１１４は、情報担体１０２からの反射光の検出結果に応じた信号を生成する。信号生成部１１４は、例えば、情報面上の光ビームの集束状態に対応した信号を生成する。信号生成部１１４は、例えば、フォーカスの誤差を示すフォーカスエラー信号（ＦＥ信号）、トラッキングの誤差を示すトラッキングエラー信号（ＴＥ信号）、反射光の光量を示す全光信号（ＡＳ信号）および再生信号（ＲＦ信号）の少なくとも１つを含む信号を生成する。光ディスク判別制御部１０４の判別制御部１０８は、信号生成部１１４からの信号に基づいて情報担体１０２の種類を判別する。
【００４５】
図３は、図２に示した光ディスク装置１００の一構成例を示す図である。光ディスク装置１００は、光ヘッド装置１２０と、増幅器１２２と、再生信号生成回路１２４と、全光信号生成回路１２６と、トラッキングエラー信号生成回路１２８と、フォーカスエラー信号生成回路１３０と、マイクロコンピュータ１３２と、フォーカスアクチュエータ駆動回路１３４と、トラッキングアクチュエータ駆動回路１３５と、ディスクモータ１３６と、を備える。ディスクモータ１３６は、情報担体１０２を所定の回転数（回転速度）で回転させる。
【００４６】
光ヘッド装置１２０は、光ビームを出力し、情報担体１０２の情報面上に光ビームスポットを形成する。また、光ヘッド装置１２０は、情報担体１０２からの反射光を受け、反射光に応じた信号を出力する。増幅器１２２は、光ヘッド装置１２０の光検出器からの電流信号を電圧信号に変換する。再生信号生成回路１２４は、増幅器１２２からの信号を受けてＲＦ信号を出力する。全光信号生成回路１２６は、増幅器１２２からの信号を受けてＡＳ信号を出力する。
【００４７】
トラッキングエラー信号生成回路１２８は、増幅器１２２からの信号を受けてＴＥ信号を出力する。ＴＥ信号は、光ビームが情報担体１０２のトラック上を正しく走査するように制御するための信号である。ＴＥ信号の検出法は特に限定されず、位相差法を用いたものでもよいし、プッシュプル法を用いたものであってもよいし、３ビーム法を用いたものであってもよい。検出法に応じて回路構成を適宜変更してもよい。
【００４８】
フォーカスエラー信号生成回路１３０は、増幅器１２２からの信号を受けてＦＥ信号を出力する。ＦＥ信号は、光ビームが情報担体１０２の情報面上で所定の集束状態になるように制御するための信号である。ＦＥ信号の検出法は特に限定されず、非点収差法を用いたものでもよいし、ナイフエッジ法を用いたものであってもよいし、ＳＳＤ（スポット・サイズド・ディテクション）法を用いたものであってもよい。検出法に応じて回路構成を適宜変更してもよい。再生信号生成回路１２４、全光信号生成回路１２６、トラッキングエラー信号生成回路１２８およびフォーカスエラー信号生成回路１３０は、それぞれ、自回路の少なくとも一部を他の回路と共通にしてもよい。
【００４９】
マイクロコンピュータ１３２は、再生信号生成回路１２４、全光信号生成回路１２６、トラッキングエラー信号生成回路１２８およびフォーカスエラー信号生成回路１３０からの信号に対して信号処理を行い、光ディスク装置１００の各部を制御する制御信号を出力する。マイクロコンピュータ１３２は、光ヘッド装置１２０、フォーカスアクチュエータ駆動回路１３４、トラッキングアクチュエータ駆動回路１３５およびディスクモータ１３６を制御する。マイクロコンピュータ１３２に代えて、ＤＳＰ（ディジタル・シグナル・プロセッサ）を用いてもよい。
【００５０】
フォーカスアクチュエータ駆動回路１３４は、マイクロコンピュータ１３２からの制御信号に応じて光ヘッド装置１２０のフォーカスアクチュエータを駆動する。トラッキングアクチュエータ駆動回路１３５は、マイクロコンピュータ１３２からの制御信号に応じて光ヘッド装置１２０のトラッキングアクチュエータを駆動する。
【００５１】
図４は、図３に示した光ヘッド装置１２０の一構成例を示す図である。光ヘッド装置１２０は、光ヘッド装置１４０、１４２、１４４と、光検出器１４６と、光ヘッド切換装置１４７と、を備える。複数の光ヘッド装置１４０〜１４４は、それぞれ異なる開口数に対応している。また、複数の光ヘッド装置１４０〜１４４は、それぞれ異なる波長の光ビームを出力する。光ヘッド装置１４０〜１４４の数は、特に限定されず、２つであってもよいし、３つ以上であってもよい。光ヘッド装置１４０〜１４４は、切り換えて使用される。光ヘッド装置１４０〜１４４のうちでいずれか１つが選択されて使用される。選択された光ヘッド装置は、光ビームを情報担体１０２に照射するとともに、情報担体１０２からの反射光を通過させる。
【００５２】
光検出器１４６は、光ヘッド装置１４０〜１４４を通過した情報担体１０２からの反射光を受け、その光信号を電気信号（電流信号）に変換する。光検出器１４６は、例えば、４分割されている。光ヘッド切換装置１４７は、マイクロコンピュータ１３２の制御により、光ヘッド装置１４０〜１４４のうちで使用する光ヘッド装置を所定の位置に配置する。光ヘッド切換装置１４７は、テーブル１４９とモータ１４８とを備える。テーブル１４９には、各光ヘッド装置１４０〜１４４が配置される。モータ１４８は、使用する光ヘッド装置を切り換えるためにテーブル１４９を移動させる。
【００５３】
図５は、図４に示した光ヘッド装置１４０〜１４４の一構成例を示す図である。光ヘッド装置１４０〜１４４は、それぞれ、対物レンズ１５０とフォーカスアクチュエータ１５２とトラッキングアクチュエータ１５３と偏向ビームスプリッタ１５４とカップリングレンズ１５６と光源１５８とを備える。光源１５８は光ビームを出力する。光源１５８は、例えば、半導体レーザ等である。フォーカスアクチュエータ１５２は、対物レンズ１５０を、情報担体１０２の情報面に対して略垂直方向に移動させる。フォーカスアクチュエータ１５２は、例えば、コイルおよび磁石を有する。トラッキングアクチュエータ１５３は、対物レンズ１５０を、情報担体１０２の情報面に対して略水平方向に移動させる。トラッキングアクチュエータ１５３は、例えば、コイルおよび磁石を有する。
【００５４】
カップリングレンズ１５６は、光源１５８からの光を平行光にする。偏向ビームスプリッタ１５４は、カップリングレンズ１５６からの平行光を反射する。また、偏向ビームスプリッタ１５４は、対物レンズ１５０からの光を通過させる。偏向ビームスプリッタ１５４を通過した光は、光検出器１４６に受光される。対物レンズ１５０は、偏向ビームスプリッタ１５４からの光ビームを集束し、情報担体１０２の情報面上に光ビームスポットを形成する。また、対物レンズ１５０は、情報担体１０２からの反射光を通過させる。
【００５５】
対物レンズ１５０の開口数および光源１５８の波長は、各光ヘッド装置１４０〜１４４でそれぞれ異なる。例えば、光ヘッド装置１４４の対物レンズ１５０−３の開口数は０．８５＋０．０１〜０．８５−０．０１であり、光ヘッド装置１４２の対物レンズ１５０−２の開口数は０．６＋０．０１〜０．６−０．０１であり、光ヘッド装置１４０の対物レンズ１５０−１の開口数は０．５０＋０．０１〜０．５０−０．０１または０．４５＋０．０１〜０．４５−０．０１である。
【００５６】
また、例えば、光ヘッド装置１４４の光源１３２−３の波長は４０５＋５〜４０５−５ナノメートルであり、光ヘッド装置１４２の光源１３２−２の波長は６４５〜６６０ナノメートルまたは６５０＋５〜６５０−５ナノメートルであり、光ヘッド装置１４０の光源１３２−１の波長は７７５〜７９５ナノメートルまたは７８０＋１０〜７８０−１０ナノメートルである。
【００５７】
なお、対物レンズ１５０および光ヘッド切換装置１４７は、図２の集束部１１０に対応する。また、光検出器１４６は、図２の検出部１１２に対応する。また、再生信号生成回路１２４、全光信号生成回路１２６、トラッキングエラー信号生成回路１２８およびフォーカスエラー信号生成回路１３０は、信号生成部１１４に対応する。また、マイクロコンピュータ１３２は、光ディスク判別装置１０４を具現化する。
【００５８】
図６は、図１に示した情報担体１０２の一例を示す図である。情報担体１０２は、情報面１７０と光ビーム通過層１７２とを備える。情報担体１０２は、光ビーム通過層１７２を介して情報面１７２にアクセスすることができるように構成される。情報担体１０２の厚さＸ２は特に限定されない。厚さＸ２は、例えば、約１．２ｍｍである。光ビーム通過層１７２は、対物レンズ１５０からの光ビームを透過させる。光ビーム通過層１７２の厚さＸ１は特に限定されない。厚さＸ１は、例えば、１．２＋０．３〜１．２−０．１ミリメートル、０．６＋０．５３〜０．６−０．５ミリメートル、１００＋５〜１００−５マイクロメートルまたは７５＋５〜７５−５マイクロメートルである。
【００５９】
図７は、実施形態１に係る情報トラックの構成を示す図である。情報担体１０２の情報面１７０には、例えば、凸状の情報トラック１８０が形成される。これにより、情報面１７０は凹凸状となる。光ヘッド装置１２０は、情報面１７０に対して情報トラック１８０が形成される側から光ビームを照射し、データの記録および／または再生を行う。情報担体１０２の構成は、上記の構成に限定されず、例えば、ピット構造であってもよい。
【００６０】
以上の構成において、実施形態１の動作について図８〜図１１を参照して説明する。図８は、実施形態１に係る対物レンズ１５０（１５０−１〜１５０−３）と情報担体１０２（１０２−１〜１０２−３）との位置関係を説明する図である。開口数（ＮＡ）０．４５の対物レンズ１５０−１を用いる場合（図８（ａ）参照）、他の対物レンズ１５０−２、１０５−３を用いる場合に比べて、光ビームの焦点と対物レンズ１５０との距離が大きくなる。
【００６１】
対物レンズ１５０−１と赤外の光ビームとを用いる場合、１．２ｍｍの光ビーム通過層１７２−１を有する情報担体１０２−１（例えば、ＣＤ（コンパクトディスク））の情報面１７０−１に焦点を合わせるときも、０．６ｍｍの光ビーム通過層１７２−２を有する情報担体１０２−２（例えば、ＤＶＤ（ディジタル・バーサタイル・ディスク））の情報面１７０−２に焦点を合わせるときも、０．１ｍｍの光ビーム通過層１７２−３を有する情報担体１０２−３（例えば、青色以下の波長の光ビームを用いてアクセスする高密度ディスク）の情報面１７０−３に焦点を合わせるときも、対物レンズ１５０と情報担体１０２との衝突を防ぐことができる。
【００６２】
ＮＡ０．６の対物レンズ１５０−２を用いる場合（図８（ｂ）参照）は、対物レンズ１５０−１を用いる場合に比べて光ビームの焦点と対物レンズ１５０との距離が短くなる。対物レンズ１５０−２と赤の光ビームとを用いる場合、情報担体１０２−１の情報面１７０−１に焦点を合わせようとすると、対物レンズ１５０と情報担体１０２との衝突が発生する。しかし、情報担体１０２−２の情報面１７０−２に焦点を合わせるとき、および情報担体１０２−３の情報面１７０−３に焦点を合わせるときは、対物レンズ１５０と情報担体１０２との衝突を防ぐことができる。
【００６３】
ＮＡ０．８５の対物レンズ１５０−３を用いる場合（図８（ｃ）参照）は、他の対物レンズ１５０−１、１５０−２を用いる場合に比べて光ビームの焦点と対物レンズ１５０との距離が短くなる。対物レンズ１５０−３と青色以下の波長の光ビームとを用いる場合、情報担体１０２−１の情報面１７０−１に焦点を合わせようとすると、対物レンズ１５０と情報担体１０２との衝突が発生する。また、情報担体１０２−２の情報面１７０−２に焦点を合わせようとするときも、対物レンズ１５０と情報担体１０２との衝突が発生する。
【００６４】
しかし、情報担体１０２−３の情報面１７０−３に焦点を合わせるときは、対物レンズ１５０と情報担体１０２との衝突を防ぐことができる。このように、小さいＮＡで光ビームを集束するほど、対物レンズ１５０と焦点の間の距離が大きくなり、対物レンズと情報担体１０２の衝突を低減することができる。
【００６５】
図９は、実施形態１に係る情報担体判別処理の流れを示すフローチャートである。この情報担体判別処理では、まず、マイクロコンピュータ１３２によって具現化される設定制御部１０６が、対物レンズ１５０の開口数を第１開口数に設定する制御信号を出力する（Ｓ１００）。設定制御部１０６は、例えば、複数の対物レンズ１５０−１〜１５０−３のなかで最小の第１開口数を有する対物レンズ１５０−１を、使用する対物レンズとして設定するように光ヘッド切換装置１４７を制御する。光ヘッド切換装置１４７は、設定制御部１０６の制御により、対物レンズ１５０−１を有する光ヘッド１４０を所定の位置に配置する。
【００６６】
次に、マイクロコンピュータ１３２によって具現化される判別制御部１０８は、ステップＳ１００で設定された第１開口数を用いて情報担体１０２の種類を判別する（Ｓ１０２）。判別制御部１０８は、例えば、対物レンズ１５０−１を介して情報担体１０２に光ビームを照射するように光ヘッド装置１２０を制御し、情報担体１０２からの反射光の検出結果に応じた信号に基づいて情報担体１０２の種類を判別する。判別制御部１０８は、例えば、ＦＥ信号、ＴＥ信号、ＡＳ信号もしくはＲＦ信号、またはこれらの信号の何れかの組み合わせに基づいて情報担体１０２の種類を判別する。判別制御部１０８は、第１開口数を用いて情報担体１０２の種類を全て判別してもよいし、開口数を切り換えつつ各種類を判別していってもよい。
【００６７】
図１０は、実施形態１に係る情報担体判別方法を説明する図である。図１０に示すように、情報面１７０の前後で光ビームの焦点を移動させると、Ｓ字形状のＦＥ信号波形が得られる。また、ＡＦ信号の振幅やＲＦ信号をエンベロープ検波した信号（ＲＦＥＮＶ信号）の振幅が情報面１７０近傍で極大となる。これらの波形は、情報担体１０２の種類によって変化する。
【００６８】
例えば、ＮＡ０．４５を用いる場合、情報担体１０２−１が光ディスク装置１００に装填されているときは、所定値Ａ１、Ａ１１、Ａ２１以上の振幅のＦＥ信号、ＡＦ信号およびＲＦＥＮＶ信号が得られる。また、情報担体１０２−２が光ディスク装置１００に装填されているときは、所定値Ａ１、Ａ１１、Ａ２１以下、所定値Ａ２、Ａ１２、Ａ２２以上の振幅のＦＥ信号、ＡＦ信号およびＲＦＥＮＶ信号が得られる。また、情報担体１０２−３が光ディスク装置１００に装填されているときは、所定値Ａ２、Ａ１２、Ａ２２以下、所定値Ａ３、Ａ１３、Ａ２３以上のＦＥ信号、ＡＦ信号およびＲＦＥＮＶ信号振幅が得られる。
【００６９】
このように、マイクロコンピュータ１３２の制御によって、対物レンズ１５０を情報担体１０２に対して略垂直方向に移動させて情報面１７０の前後で光ビームの焦点を移動させ、情報担体１０２からの反射光の検出結果に応じた信号と所定値とを比較することによって、情報担体１０２の種類を判別することができる。
【００７０】
ここで、マイクロコンピュータ１３２は、対物レンズ１５０を情報担体１０２から離れる方向に移動させつつ情報担体１０２の判別処理を行ってもよい。これにより、対物レンズ１５０と情報担体１０２との衝突をさらに低減することができる。あるいは、マイクロコンピュータ１３２は、対物レンズ１５０を情報担体１０２に近づける方向に移動させつつ情報担体１０２の判別処理を行ってもよい。また、マイクロコンピュータ１３２は、情報面１７０の前後で光ビームスポットを１または複数回往復させつつ情報担体１０２の判別処理を行ってもよい。
【００７１】
また、マイクロコンピュータ１３２は、情報面１７０に対するフォーカス制御をオフにして情報担体１０２の判別処理を行ってもよいし、情報面１７０に対するフォーカス制御をオンにして情報担体１０２の判別処理を行ってもよい。情報面１７０に対するフォーカス制御をオンにして情報担体１０２の判別処理を行う場合、マイクロコンピュータ１３２によって具現化される判別制御部１０８は、ＴＥ信号に基づいて情報担体１０２の種類を判別してもよい。
【００７２】
次に、開口数を切り換えつつ情報媒体１０２の種類を判別する方法について説明する。図１１は、開口数を切り換えつつ情報媒体１０２の種類を判別する情報担体判別処理の流れを示すフローチャートである。この情報担体判別処理では、前述したステップＳ１００のあと、マイクロコンピュータ１３２が、対物レンズ１５０−１を介して情報担体１０２に光ビームを照射するように光ヘッド装置１２０を制御し、情報担体１０２からの反射光の検出結果に応じた信号を入力する（Ｓ１１０）。ステップＳ１１０において、マイクロコンピュータ１３２は、対物レンズ１５０を情報担体１０２に対して略垂直方向に移動させて情報面１７０の前後で光ビームの焦点を移動させる制御信号を出力する。これにより、図１０に示した信号波形が得られる。
【００７３】
次に、判別制御部１０８は、反射光の検出結果に応じた信号に基づいて、光ディスク装置１００に装填されている情報担体１０２が、設定されている開口数（設定開口数）に対応するものであるか否かを判別する（Ｓ１１２）。ここで、反射光の検出結果に応じた信号とは、例えば、ＦＥ信号、ＴＥ信号、ＡＳ信号もしくはＲＦ信号、またはこれらの信号の何れかの組み合わせである。判別制御部１０８は、例えば、反射光の検出結果に応じた信号のレベルに基づいて情報担体１０２の種類を判別する。
【００７４】
光ディスク装置１００に装填されている情報担体１０２が設定開口数に対応するものである場合は処理を終了する。一方、光ディスク装置１００に装填されている情報担体１０２が、設定開口数に対応するものでない場合、設定制御部１０６は、設定開口数からその次に小さい開口数に切り換えるように光ヘッド装置１２０を制御し（Ｓ１１４）、ステップＳ１１０に戻る。この情報担体判別処理では、例えば、対物レンズ１５０−１の次は対物レンズ１５０−２を用いて判別が行われ、対物レンズ１５０−２の次は対物レンズ１５０−３を用いて判別が行われる。これにより、対物レンズ１５０と情報担体１０２との距離を適切に保って衝突を低減しつつ、より確実に情報担体１０２の種類を判別することができる。
【００７５】
前述した様に、実施形態１によれば、情報担体１０２の情報面１７０に光ビームを集束する集束部１１０の開口数を、異なる開口数のうちで最小の第１開口数に設定し、設定された第１開口数を用いて情報担体１０２の種類を判別するので、情報担体１０２と集束部１１０との距離を十分とりつつ情報担体１０２の種類を判別することができるため、集束部１１０と情報担体１０２との衝突を低減することができる。
【００７６】
（実施形態２）
図１２は、本発明の実施形態２に係る光ディスク装置の概略構成を示す図である。なお、前述した実施形態１の光ディスク装置１００と同じ構成については、図２と同じ符号を付している。実施形態２に係る光ディスク装置２００は、集束部２０１と、検出部１１２と、信号生成部１１４と、光源部２１０と、光ディスク判別制御部２０２と、を備える。
【００７７】
光源部２１０は、異なる波長の光ビームを選択的に出力する。光源部２１０は、例えば、それぞれ異なる波長の光ビームを出力する複数の光源を機械的に切り換えるものであってもよい。また、光源部２１０は、それぞれ異なる波長の光ビームを出力する複数の光源と、これらの光ビームを集束部２０１に導く複数の偏向ビームスプリッタと、を備えるものであってもよい。また、光源部２１０は、複数波長の光ビームを出力する２波長レーザ、３波長レーザ、多波長レーザまたは可変波長レーザであってもよい。
【００７８】
異なる波長は、例えば、４００〜４１０ナノメートル、６４５〜６６０ナノメートルおよび７７５〜７９５ナノメートルの少なくとも１つを含むものであってもよい。また、異なる波長は、４０５＋５〜４０５−５ナノメートル、６５０＋５〜６５０−５ナノメートルおよび７８０＋１０〜７８０−１０ナノメートルの少なくとも１つを含むものであってもよい。さらに、異なる波長は、上記以外を含むものであってもよい。
【００７９】
集束部２０１は、光源部２１０からの光ビームを情報担体１０２の情報面１７０に集束する。集束部２０１は、前述した実施形態１の集束部１１０と同様に、光学レンズを有し、開口数切換可能となっている。開口数の切り換えは、例えば、光ビームが通過する対物レンズや補償板を切り換えることによって行ってもよい。また、開口数の切り換えは、機械的に行ってもよい。また、開口数の切り換えは、光ビームの波長の切り換えとは別に独立して行うことができる。また、集束部２０１は、情報担体１０２からの反射光を検出部１１２に導く。例えば、特許文献６に示された光ピックアップ装置を集束部２０１として用いてもよい。
【００８０】
光ディスク判別制御部２０２は、設定制御部２０４と、波長設定制御部２０６と、判別制御部２０８と、を備える。設定制御部２０４は、実施形態１の設定制御部１０６と同様の動作により、集束部２０１の開口数を設定する制御信号を出力する。集束部２０１の開口数を設定する制御は、光ビームの波長を設定する制御とは別に独立して行うことができる。判別制御部２０８は、実施形態１の判別制御部１０８と同様の動作により、装填された情報担体１０２の種類が、設定された開口数および波長に対応する種類であるか否かを判別する。
【００８１】
波長設定制御部２０６は、設定制御部２０４が集束部２０１の開口数を第１開口数に設定する制御を行う場合に、光源部２１０が出力する光ビームの波長を異なる波長のうちで最長の第１波長に設定するように光源部２１０を制御する。あるいは、波長設定制御部２０６は、光源部２１０が出力する光ビームの波長を、異なる波長に含まれる少なくとも１つの波長に比べて大きい第２波長に設定するように光源部２１０を制御してもよい。第２波長は、異なる波長に含まれるものであってもよいし、含まれないものであってもよい。また、波長設定制御部２０６は、異なる波長のうちで長い波長から順に設定していってもよい。
【００８２】
図１３は、図１２に示した光ディスク装置２００の一構成例を示す図である。なお、前述した実施形態１の光ディスク装置１００と同じ構成については、図３と同じ符号を付している。光ディスク装置２００は、光ヘッド装置２１２と、増幅器１２２と、再生信号生成回路１２４と、全光信号生成回路１２６と、トラッキングエラー信号生成回路１２８と、フォーカスエラー信号生成回路１３０と、マイクロコンピュータ２１４と、フォーカスアクチュエータ駆動回路１３４と、トラッキングアクチュエータ駆動回路１３５と、ディスクモータ１３６と、を備える。
【００８３】
マイクロコンピュータ２１４は、実施形態１のマイクロコンピュータ１３２と同様の構成を有し、同様の動作を行うが、開口数を設定する処理を行うとともに光ビームの波長を設定する処理を行う部分が異なる。光ヘッド装置２１２は、実施形態１の光ヘッド装置１２０と同様の動作を行うが、開口数とは別に光ビームの波長を切り換える部分が異なる。
【００８４】
図１４は、図１３に示した光ヘッド装置２１２の一構成例を示す図である。なお、前述した実施形態１と同じ構成については、図４と同じ符号を付している。光ヘッド装置２１２は、レンズユニット２２０と可変波長レーザ装置２２２と光検出器１４６とを備える。レンズユニット２２０は、開口数が切り換えられるように構成される。レンズユニット２２０は、可変波長レーザ装置２２２からの光ビームを情報担体１０２の情報面１７０上に集束する。また、レンズユニット２２０は、情報担体１０２からの反射光を光検出器１４６に導く。
【００８５】
可変波長レーザ装置２２２は、出力する光ビームの波長を変化させることができる。可変波長レーザ装置２２２は、例えば、４０５＋５〜４０５−５ナノメートル、６４５〜６６０ナノメートル、６５０＋５〜６５０−５ナノメートル、７７５〜７９５ナノメートルまたは７８０＋１０〜７８０−１０ナノメートルの波長のレーザ光を出力する。開口数の切り換えおよび光ビームの波長の切り換えは、マイクロコンピュータ２１４によって制御される。なお、レンズユニット２２０は、図１２の集束部２０１に対応し、可変波長レーザ装置２２２は、図１２の光源部２１０に対応し、マイクロコンピュータ２１４は、図１２の光ディスク判別制御部２０２を具現化する。
【００８６】
図１５は、図１４に示したレンズユニット２２０の一構成例を示す図である。なお、前述した実施形態１と同じ構成については、図５と同じ符号を付している。図１５（ａ）（ｂ）に示すように、レンズユニット２２０は、ホルダ２３４と、複数の対物レンズ１５０−１〜１５０−３と、軸２３１と、ヨーク２３２と、フォーカスコイル２３０と、トラッキングコイル２３６と、を備える。ホルダ２３４は、軸２３１を中心に回転自在に設けられる。対物レンズ１５０−１〜１５０−３は、ホルダ２３４に配置され、ホルダ２３４が所定量回転することによって、使用される対物レンズが切り換わる。対物レンズ１５０−１〜１５０−３の数は、特に限定されず、２つであってもよいし、３つ以上であってもよい。
【００８７】
ホルダ２３４の開口部内およびホルダ２３４の外側にはヨーク２３２が配置される。外側のヨーク２３２の内側には、同極が対抗するように磁石２３３が配置される。ホルダ２３４の下部には、フォーカスコイル２３０が巻装され、また、扁平形状のトラッキングコイル２３６が配置される。フォーカスコイル２３０、トラッキングコイル２３６、磁石２３３およびヨーク２３２によって構成される磁気回路によって、対物レンズ１５０−１〜１５０−３は、情報担体１０２に対して垂直方向および水平方向に移動する。また、この磁気回路によって、ホルダ２３４が所定量回転することにより、使用される対物レンズが切り換わる。
【００８８】
次に、図１６および図１７を参照して実施形態２の動作を説明する。
【００８９】
図１６は、実施形態２に係る情報担体判別処理の流れを示すフローチャートである。この情報担体判別処理では、まず、マイクロコンピュータ２１４によって具現化される設定制御部２０４が、開口数を第１開口数に設定するための制御信号を出力する（Ｓ２００）。設定制御部２０４は、例えば、図１５に示す複数の対物レンズ１５０−１〜１５０−３のなかで最小の第１開口数を有する対物レンズ１５０−１を、使用する対物レンズとして設定するようにレンズユニット２２０を制御する。レンズユニット２２０は、設定制御部２０４の制御により、対物レンズ１５０−１を所定の位置に配置する。
【００９０】
次に、マイクロコンピュータ２１４によって具現化される波長設定制御部２０６は、光ビームの波長を第１波長に設定するための制御信号を出力する（Ｓ２０２）。すなわち、波長設定制御部２０６は、第１波長の光ビームを出力するように可変波長レーザ装置２２２を制御する。可変波長レーザ装置２２２は、波長設定制御部２０６の制御により、第１波長の光ビームを出力する。次に、マイクロコンピュータ２１４によって具現化される判別制御部２０８は、ステップＳ２００、Ｓ２０２で設定された第１開口数および第１波長を用いて情報担体１０２の種類を判別する（Ｓ２０４）。
【００９１】
判別制御部２０８は、例えば、図１５に示す対物レンズ１５０−１を介して光ビームが照射された情報担体１０２からの反射光の検出結果に応じた信号を受け取り、その信号に基づいて情報担体１０２の種類を判別する。判別制御部２０８は、ＦＥ信号、ＴＥ信号、ＡＳ信号もしくはＲＦ信号、またはこれらの信号の何れかの組み合わせに基づいて情報担体１０２の種類を判別してもよい。判別制御部２０８は、第１開口数および第１波長を用いて情報担体１０２の種類を全て判別してもよいし、開口数および波長を切り換えつつ各種類を判別していってもよい。また、ステップＳ２００とステップＳ２０２との順序を逆にしてもよい。
【００９２】
次に、開口数および波長を切り換えつつ情報媒体１０２の種類を判別する方法について説明する。図１７は、開口数および波長を切り換えつつ情報媒体１０２の種類を判別する情報担体判別処理の流れを示すフローチャートである。この情報担体判別処理では、前述したステップＳ２０２のあと、マイクロコンピュータ２１４が、情報担体１０２からの反射光の検出結果に応じた信号を入力する（Ｓ２１０）。
【００９３】
ステップＳ２１０において、マイクロコンピュータ２１４は、対物レンズ１５０を情報担体１０２に対して略垂直方向に移動させて情報面１７０の前後で光ビームの焦点を移動させる制御信号を出力する。これにより、図１０に示した信号波形が得られる。ここで、マイクロコンピュータ２１４は、対物レンズ１５０を情報担体１０２から離れる方向に移動させてもよい。あるいは、マイクロコンピュータ２１４は、対物レンズ１５０を情報担体１０２に近づける方向に移動させつつ情報担体１０２の判別処理を行ってもよい。
【００９４】
また、マイクロコンピュータ２１４は、情報面１７０の前後で光ビームスポットを１または複数回往復させつつ情報担体１０２の判別処理を行ってもよい。また、マイクロコンピュータ１３２は、フォーカス制御をオフに保ってもよいし、オンにしてもよい。光検出器１４６は反射光を検出し、再生信号生成回路１２４、全光信号生成回路１２６、トラッキングエラー信号生成回路１２８およびフォーカスエラー信号生成回路１３０は反射光の検出結果に応じた信号を出力する。
【００９５】
判別制御部２０８は、反射光の検出結果に応じた信号に基づいて、光ディスク装置２００に装填されている情報担体１０２が、設定されている開口数および波長に対応するものであるか否かを判別する（Ｓ２１２）。光ディスク装置２００に装填されている情報担体１０２が、設定された開口数および波長に対応するものである場合は処理を終了する。一方、光ディスク装置２００に装填されている情報担体１０２が、設定された開口数および波長に対応するものでない場合、設定制御部２０４は、設定されている開口数からその次に小さい開口数に切り換えるようにレンズユニット２２０を制御する（Ｓ２１４）。
【００９６】
また、波長設定制御部２０６は、設定されている波長からその次に長い波長に切り換えて光ビームを出力するように可変波長レーザ装置２２２を制御し（Ｓ２１６）、ステップＳ２１０に戻る。この情報担体判別処理では、例えば、ＮＡ０．４５および赤外光の次はＮＡ０．６および赤色光を用いて判別が行われ、その次は、ＮＡ０．８５および青色以下の波長の光を用いて判別が行われる。これにより、対物レンズ１５０と情報担体１０２との距離を適切に保って衝突を低減しつつ、より確実に情報担体１０２の種類を判別することができる。なお、ステップＳ２１４とＳ２１６の順序を逆にしてもよい。
【００９７】
上述した例では、情報担体１０２の種類を判別する場合に、光ディスク判別制御部２０２が、開口数および波長の両方を切り換えて情報担体１０２の判別を行う。しかし、光ディスク判別制御部２０２は、波長を切り換えずに情報担体１０２の判別を行ってもよい。例えば、可変波長レーザ装置２２２の波長を第１波長に保ち、開口数を切り換えつつ情報担体１０２の判別処理を行ってもよい。これにより、情報担体１０２に対する短波長の誤照射を低減し、情報担体１０２に既に記録された情報を保護することができる。
【００９８】
前述した様に、実施形態２によれば、第１波長の光源部２１０と第１開口数の集束部２０１とを組み合わせて情報担体１０２の判別を行うことができるので、情報担体１０２と集束部２０１との距離を十分とることができるため、集束部２０１と情報担体１０２との衝突を低減することができる。
【００９９】
（実施形態３）
図１８は、本発明の実施形態３に係る光ディスク装置の概略構成を示す図である。なお、前述した実施形態２の光ディスク装置２００と同じ構成については、図１２と同じ符号を付している。実施形態３に係る光ディスク装置３００は、集束部３０２と、検出部１１２と、信号生成部１１４と、光源部２１０と、光ディスク判別制御部３０４と、を備える。集束部３０２は、光源部２１０からの光ビームを情報担体１０２の情報面１７０に集束する。集束部３０２の開口数は、集束する光ビームの波長に応じて変化する。例えば、非特許文献７に示された波長選択開口および対物レンズを集束部３０２として用いてもよい。
【０１００】
光ディスク判別制御部３０４は、設定制御部３０６と判別制御部２０８とを備える。設定制御部３０６は、光源部２１０が出力する光ビームの波長を第１波長に設定することによって、集束部３０２の開口数を第１開口数に設定する。すなわち、設定制御部３０６は、第１波長の光ビームを出力するように光源部２１０を制御することによって、集束部３０２の開口数を第１開口数に設定する。また、設定制御部３０６は、異なる波長のうちで長い波長から順に設定していくことにより、異なる開口数のうちで小さいものから順に設定していってもよい。
【０１０１】
図１９は、図１８に示した光ディスク装置３００の一構成例を示す図である。なお、前述した実施形態２の光ディスク装置２００と同じ構成については、図１３と同じ符号を付している。光ディスク装置３００は、光ヘッド装置３１０と、増幅器１２２と、再生信号生成回路１２４と、全光信号生成回路１２６と、トラッキングエラー信号生成回路１２８と、フォーカスエラー信号生成回路１３０と、マイクロコンピュータ３１２と、フォーカスアクチュエータ駆動回路１３４と、トラッキングアクチュエータ駆動回路１３５と、ディスクモータ１３６と、を備える。
【０１０２】
マイクロコンピュータ３１２は、実施形態２のマイクロコンピュータ２１４と同様の構成を有し、同様の動作を行うが、光ビームの波長を設定する処理を行うことによって、開口数を設定する処理を行う部分が異なる。光ヘッド装置３１０は、実施形態２の光ヘッド装置２１２と同様の動作を行うが、光ビームの波長に応じて開口数が決まる部分が異なる。
【０１０３】
図２０は、図１９に示した光ヘッド装置３１０の一構成例を示す図である。なお、前述した実施形態２と同じ構成については、図１４と同じ符号を付している。光ヘッド装置３１０は、複合対物レンズ３２０と、フォーカスアクチュエータ１５２と、トラッキングアクチュエータ１５３と、偏向ビームスプリッタ３２４〜３２８と、光源３３０〜３３４と、を備える。光源３３０〜３３４は、それぞれ異なる波長の光ビームを出力する。マイクロコンピュータ３１２からの制御により、光源３３０〜３３４のなかで何れか１つの光源が光ビームを出力する。光源３３０〜３３４の数は特に限定されず、２つであってもよいし、３つ以上であってもよい。光源３３０〜３３４は、例えば、前述した実施形態２の可変波長レーザ装置２２２と同じ波長の光ビームを出力する。
【０１０４】
偏向ビームスプリッタ３２４〜３２８は、光源３３０〜３３４から出力された光ビームを反射し、複合対物レンズ３２０に導く。また、偏向ビームスプリッタ３２４〜３２８は、複合対物レンズ３２０からの光を通過させる。光検出器１４６は、複合対物レンズ３２０および偏向ビームスプリッタ３２４〜３２８を通過した情報担体１０２からの反射光を受光する。フォーカスアクチュエータ１５２は、情報担体１０２と略垂直な方向に複合対物レンズ３２０を移動させる。トラッキングアクチュエータ１５３は、情報担体１０２と略水平な方向に複合対物レンズ３２０を移動させる。
【０１０５】
複合対物レンズ３２０は、情報担体１０２の情報面１７０上に光ビームを集束する。複合対物レンズ３２０は、集束レンズ３２１と波長選択開口３２２とで構成される。集束レンズ３２１および波長選択開口３２２を一体に形成してもよい。波長選択開口３２２は、例えば、図２１（ａ）（ｂ）、図２２（ａ）（ｂ）に示すように、光ビームが通過する領域の一部または全部にホログラムまたはレリーフが形成されている。このホログラムまたはレリーフは、光軸を中心にして同心円状に形成される。波長選択開口３２２の光ビームが通過する領域は、開口数に対応して同心円状に複数の領域に分割される。
【０１０６】
このような構造により、複合対物レンズ３２０の開口数は、通過する光ビームの波長に応じて変化する。例えば、波長４００〜４１０ナノメートルの光ビームが通過する場合、複合対物レンズ３２０の開口数は０．８５＋０．０１〜０．８５−０．０１となる。また、波長６４５〜６６０ナノメートルまたは６５０＋５〜６５０−５ナノメートルの光ビームが通過する場合、複合対物レンズ３２０の開口数は０．６＋０．０１〜０．６−０．０１となる。また、波長７７５〜７９５ナノメートルの光ビームが通過する場合、複合対物レンズ３２０の開口数は０．５０＋０．０１〜０．５０−０．０１となる。また、波長７８０＋１０〜７８０−１０ナノメートルの光ビームが通過する場合、複合対物レンズ３２０の開口数は０．４５＋０．０１〜０．４５−０．０１となる。
【０１０７】
また、図１５に示したレンズユニット２２０を光ヘッド装置３１０に設け、このレンズユニット２２０に種類の異なる複数の複合対物レンズ３２０を配置してもよい。そして、これらの異なる複数の複合対物レンズ３２０を切り換えて用いてもよい。また、レンズユニット２２０に１または複数の複合対物レンズ３２０と１または複数の対物レンズ１５０とを配置し、これらのレンズを切り換えて用いてもよい。
【０１０８】
例えば、０．８５＋０．０１〜０．８５−０．０１および０．６＋０．０１〜０．６−０．０１の開口数を有する複合対物レンズ３２０と、０．５０＋０．０１〜０．５０−０．０１または０．４５＋０．０１〜０．４５−０．０１の開口数を有する対物レンズ１５０とをレンズユニット２２０に配置して用いてもよい。また、０．８５＋０．０１〜０．８５−０．０１の開口数を有する対物レンズ１５０と、０．５０＋０．０１〜０．５０−０．０１または０．４５＋０．０１〜０．４５−０．０１、および０．６＋０．０１〜０．６−０．０１の開口数を有する複合対物レンズ３２０とをレンズユニット２２０に配置して用いてもよい。
【０１０９】
なお、光源３３０〜３３４は、図１８の光源部２１０に対応し、複合対物レンズ３２０は、図１８の集束部３０２に対応し、マイクロコンピュータ３１２は、図１８の光ディスク判別制御部３０４を具現化する。
【０１１０】
以上の構成において、実施形態３の動作について図２３、図２４を参照して説明する。図２３は、実施形態３に係る情報担体判別処理の流れを示すフローチャートである。なお、実施形態２と同じ動作については図１６と同じ符号を付している。この情報担体判別処理では、まず、マイクロコンピュータ３１２によって具現化される設定制御部３０６が、出力する光ビームの波長を第１波長に設定することによって開口数を第１開口数に設定するための制御信号を出力し（Ｓ３００）、ステップＳ２０４に進む。マイクロコンピュータ３１２は、例えば、光源３３０〜３３４の何れか１つを選択し、選択した光源が光ビームを出力するように光ヘッド装置３１０を制御する。
【０１１１】
次に、開口数および波長を切り換えつつ情報媒体１０２の種類を判別する方法について説明する。図２４は、開口数および波長を切り換えつつ情報媒体１０２の種類を判別する情報担体判別処理の流れを示すフローチャートである。なお、実施形態２と同じ動作については図１７と同じ符号を付している。この情報担体判別処理では、前述したステップＳ３００のあと、ステップＳ２１０およびＳ２１２を行う。ステップＳ２１２で、光ディスク装置３００に装填されている情報担体１０２が、設定された開口数および波長に対応するものである場合は処理を終了する。
【０１１２】
一方、光ディスク装置３００に装填されている情報担体１０２が、設定された開口数および波長に対応するものでない場合、設定制御部３０６は、光ビームの波長を、設定されている波長からその次に長い波長に切り換えることによって、複合対物レンズ３２０の開口数を、設定されている開口数からその次に小さい開口数に切り換えるように光ヘッド装置３１０を制御し（Ｓ３０２）、ステップＳ２１０に戻る。
【０１１３】
前述したように実施形態３によれば、光源部３０２が出力する光ビームの波長を第１波長に設定することによって集束部３０２の開口数を第１開口数にして情報担体１０２の種類を判別するので、集束部３０２と情報担体１０２との距離を十分保つことができ、集束部３０２と情報担体１０２との衝突を低減することができる。
【０１１４】
（実施形態４）
図２５は、本発明の実施形態４に係る光ディスク装置の概略構成を示す図である。なお、前述した実施形態２の光ディスク装置２００と同じ構成については、図１２と同じ符号を付している。実施形態４に係る光ディスク装置４００は、集束部２０１と、検出部１１２と、信号生成部１１４と、光源部２１０と、光ディスク判別制御部４０２と、球面収差補正部４０６と、を備える。光ディスク判別制御部４０２は、設定制御部２０４と、波長設定制御部２０６と、判別制御部４０３と、球面収差設定制御部４０４と、を備える。
【０１１５】
球面収差補正部４０６は、情報担体１０２の情報面１７０上の光ビームスポットに発生する球面収差を補正する。球面収差補正部４０６は、光源部２１０と集束部２０１との間の光路上に配置される。球面収差補正部４０６は、球面収差設定制御部４０４の制御により、球面収差の補正量を変化させる。球面収差補正部４０６の構成は、特に限定されず、球面収差補正レンズを有するものであってもよいし、内周側と外周側の透過率を変化させる液晶板を有するものであってもよい。
【０１１６】
判別される複数種類の情報担体１０２は、光ビームが通過するそれぞれ異なる厚さの光ビーム通過層１７２を有する。球面収差設定制御部４０４は、設定制御部２０４が集束部２０１の開口数を第１開口数に設定する場合に、球面収差補正部４０６の補正量を、光ビーム通過層１７２の異なる厚さのうちで最大の厚さに応じた第１補正量に設定する制御信号を出力する。あるいは、球面収差設定制御部４０４は、球面収差補正部４０６の補正量を、異なる厚さに含まれる少なくとも１つの厚さに比べて厚い光ビーム通過層１７２に対応する第２補正量に設定してもよい。
【０１１７】
第２補正量は、異なる厚さの何れかに対応するものであってもよいし、異なる厚さの何れにも対応しないものであってもよい。また、球面収差設定制御部４０４は、異なる厚さのうちで厚い層に対応する球面収差補正量から順に設定していってもよい。判別制御部４０３は、実施形態２の判別制御部２０８と同様の動作により、装填された情報担体１０２の種類が、設定された開口数、波長および球面収差補正量に対応する種類であるか否かを判別する。
【０１１８】
図２６は、図２５に示した光ディスク装置４００の一構成例を示す図である。なお、前述した実施形態２の光ディスク装置２００と同じ構成については、図１３と同じ符号を付している。光ディスク装置４００は、光ヘッド装置４１０と、増幅器１２２と、再生信号生成回路１２４と、全光信号生成回路１２６と、トラッキングエラー信号生成回路１２８と、フォーカスエラー信号生成回路１３０と、マイクロコンピュータ４１２と、フォーカスアクチュエータ駆動回路１３４と、トラッキングアクチュエータ駆動回路１３５と、ビームエキスパンダ４１４と、ディスクモータ１３６と、を備える。
【０１１９】
マイクロコンピュータ４１２は、実施形態２のマイクロコンピュータ２１４と同様の構成を有し、同様の動作を行い、さらに、光ヘッド装置４１０が出力する光ビームの球面収差を制御する制御信号を出力する。ビームエキスパンダ駆動回路４１４は、マイクロコンピュータ４１２からの制御信号に応じて光ヘッド装置４１０の球面収差補正アクチュエータを駆動する。光ヘッド装置４１０は、実施形態２の光ヘッド装置２１２と同様の構成を有し、さらに、球面収差が補正可能となっている。
【０１２０】
図２７は、図２６に示した光ヘッド装置４１０の一構成例を示す図である。なお、前述した実施形態２と同じ構成については、図１４と同じ符号を付している。光ヘッド装置４１０は、レンズユニット２２０と、球面収差補正レンズ４２２と、球面収差補正アクチュエータ４２０と、可変波長レーザ装置２２２と、光検出器１４６と、を備える。球面収差補正レンズ４２２は、可変波長レーザ装置２２２とレンズユニット２２０との間の光路に配置される。球面収差補正レンズ４２２は、可変波長レーザ装置２２２からの光ビームを通過させ、光ビームスポットに発生する球面収差を変化させる。
【０１２１】
球面収差補正レンズ４２２は、例えば、凹レンズおよび凸レンズを有する。球面収差補正アクチュエータ４２０は、球面収差補正レンズ４２２の少なくとも１つのレンズを移動させることにより凹レンズと凸レンズの間隔を変化させて光ビームの球面収差を変化させる。すなわち、球面収差補正アクチュエータ４２０は、凹レンズおよび／または凸レンズを移動させて光ビームの球面収差を変化させる。なお、ビームエキスパンダ駆動回路４１４、球面収差補正アクチュエータ４２０および球面収差補正レンズ４２２は、図２５の球面収差補正部４０６に対応し、マイクロコンピュータ４１２は、図２５の光ディスク判別制御部４０２を具現化する。
【０１２２】
以上の構成において、実施形態４の動作について図２８〜図３１を参照して説明する。図２８は、実施形態４に係る光ビームの球面収差を説明する図である。フォーカス制御が動作している状態で、光ヘッド装置４１０から出力された光ビームは、情報担体１０２の光ビーム通過層１７２によって屈折する。この光ビーム通過層１７２の厚みがばらつくと、球面収差が発生し、例えばレンズの外周側を通過する光ビームは焦点Ａに集光し、レンズの内周側を通過する光ビームは焦点Ｂに集光する。すなわち、球面収差が発生した場合は、焦点Ａと焦点Ｂにずれが発生する。
【０１２３】
情報面１７０で球面収差が発生していない場合は、外周側の光ビームの焦点と内周側の光ビームの焦点とが一致する（焦点Ｃ）。球面収差が大きくなると、焦点Ａと焦点Ｂとが離れていき、全体として光ビームスポットがぼやけ、情報面１７０において部分的にデフォーカス状態となる。情報担体１０２に対して情報の記録または再生を行う場合、マイクロコンピュータ４１２は、光ビーム通過層１７２の厚さに応じた球面収差の補正を行う。
【０１２４】
光ビーム通過層１７２の厚さに応じた球面収差の補正を行うことにより、適切な光ビームスポットが得られ、高密度の情報を扱うことが可能となる。マイクロコンピュータ４１２は、ＦＥ信号や球面収差誤差検出信号等の検出信号に基づいてフィードバック制御で球面収差の補正を行ってもよいし、ＴＲ信号や再生性能を示すジッターなどを用いて探索することで球面収差の補正を行ってもよい。さらに、マイクロコンピュータ４１２は、予め定められた補正量に基づいてフィードフォワード制御で球面収差の補正を行ってもよい。
【０１２５】
図２９は、実施形態４に係る球面収差の補正を説明する図である。例えば、情報面１７０−１に光ビームを集束させる場合、光ビーム通過層１７２−１の厚さが、光ビーム通過層１７２−３の厚さに比べて大きいので、情報面１７０−３に光ビームを集束する場合に比べ、球面収差補正レンズ４２２の凹レンズと凸レンズの距離Ｗ１を短くする（図２９（ａ）参照）。これにより、光ビーム通過層１７２−１に対応する球面収差の補正量が得られる。
【０１２６】
逆に、情報面１７０−３に光ビームを集束させる場合、光ビーム通過層１７２−３の厚さが、光ビーム通過層１７２−１の厚さに比べて小さいので、情報面１７０−１に光ビームを集束する場合に比べ、球面収差補正レンズ４２２の凹レンズと凸レンズの距離Ｗ２を長くする（図２９（ｂ）参照）。これにより、光ビーム通過層１７２−３に対応する球面収差の補正量が得られる。このように、ビームエキスパンダ駆動回路４１４および球面収差補正アクチュエータ４２０は、球面収差補正レンズ４２２の凹レンズと凸レンズの距離を変化させる。これにより、光ビーム通過層１７２の厚さに応じた目的の球面収差補正量を得ることができる。
【０１２７】
図３０は、実施形態４に係る情報担体判別処理の流れを示すフローチャートである。なお、実施形態２と同じ動作については図１６と同じ符号を付している。この情報担体判別処理では、ステップＳ２０２のあと、球面収差制御部４０４が、球面収差の補正量を第１補正量に設定するように球面収差補正部４０６を制御する（Ｓ４００）。これにより、例えば、球面収差補正レンズ４２２の凹レンズと凸レンズの距離は、第１補正量に対応するものとなる。
【０１２８】
次に、マイクロコンピュータ４１２によって具現化される判別制御部４０３は、ステップＳ２００、Ｓ２０２およびＳ４００で設定された第１開口数、第１波長および第１補正量を用いて情報担体１０２の種類を判別する（Ｓ４０２）。なお、ステップＳ２００、Ｓ２０２、Ｓ４００という処理の順序は特に限定されず、これとは異なる順序で処理を行ってもよい。例えば、ステップＳ４００をステップＳ２００やＳ２０２の前に行ってもよい。
【０１２９】
次に、開口数、波長および球面収差補正量を切り換えつつ情報媒体１０２の種類を判別する方法について説明する。図３１は、開口数、波長および球面収差補正量を切り換えつつ情報媒体１０２の種類を判別する情報担体判別処理の流れを示すフローチャートである。なお、実施形態２と同じ動作については図１７と同じ符号を付している。この情報担体判別処理では、前述したステップＳ４００のあと、ステップＳ２１０を行う。次に、判別制御部４０３は、反射光の検出結果に応じた信号に基づいて、光ディスク装置４００に装填されている情報担体１０２が、設定されている開口数、波長および球面収差補正量に対応するものであるか否かを判別する（Ｓ４１０）。
【０１３０】
光ディスク装置４００に装填されている情報担体１０２が、設定された開口数、波長および球面収差補正量に対応するものである場合は処理を終了する。一方、光ディスク装置４００に装填されている情報担体１０２が、設定された開口数、波長および球面収差補正量に対応するものでない場合はステップＳ２１４、Ｓ２１６に進む。ステップＳ２１６のあと、球面収差設定制御部４０４は、設定されている球面収差補正量からその次に厚い光ビーム通過層１７２に対応する球面収差補正量に切り換えるように球面収差補正部４０６を制御し（Ｓ４１２）、ステップＳ２１０に戻る。
【０１３１】
例えば、ＮＡ０．４５、赤外光およびＢＥ（ビームエキスパンダ値）１．２ミリメートルの次はＮＡ０．６、赤色光およびＢＥ０．６ミリメートルを用いて判別処理が行われ、その次は、ＮＡ０．８５、青色以下の波長の光およびＢＥ０．１ミリメートルを用いて判別処理が行われる。これにより、対物レンズ１５０と情報担体１０２との距離を適切に保って衝突を低減しつつ、より確実に情報担体１０２の種類を判別することができる。なお、ステップＳ２１４、Ｓ２１６、Ｓ４１２という処理の順序は、特に限定されず、これとは異なる順序で処理を行ってもよい。例えば、ステップＳ４１２をステップＳ２１４やＳ２１６の前に行ってもよい。
【０１３２】
前述したように実施形態４によれば、光源部２１０が出力する光ビームの波長を第１波長に設定し、集束部２０１の開口数を第１開口数にし、球面収差補正部４０６の球面収差補正量を第１補正量にして情報担体１０２の種類を判別するので、集束部２０１と情報担体１０２との距離を十分保つことができ、集束部２０１と情報担体１０２との衝突を低減することができる。
【０１３３】
（実施形態５）
前述した球面収差補正部４０６および球面収差設定制御部４０４は、実施形態３に適用することもできる。例えば、図３２に示すように光ディスク装置を構成してもよい。図３２に示す光ディスク装置５００は、集束部３０２と、検出部１１２と、信号生成部１１４と、光源部２１０と、光ディスク判別制御部５０２と、球面収差補正部４０６と、を備える。光ディスク判別制御部５０２は、設定制御部３０６と、判別制御部４０３と、球面収差設定制御部４０４と、を備える。
【０１３４】
実施形態５の動作は、実施形態４の動作と同様であるが、光ビームの波長を設定することによって開口数を設定する部分が異なる。すなわち、実施形態５では、図３０および図３１に示した処理において、ステップＳ２００およびＳ２０２に代えて、図２３に示したステップＳ３００を実行し、ステップＳ２１４およびＳ２１６に代えて、図２４に示したステップＳ３０２を実行する。
【０１３５】
（実施形態６）
図３３は、本発明の実施形態６に係る情報面判別制御部を示す図である。実施形態６の情報面判別制御部６０４は、それぞれ異なる開口数に対応する少なくとも２種類の情報面の種類を判別する。情報面判別制御部６０４は、情報担体６０２の情報面にアクセスする光ディスク装置６００を制御する。情報面判別制御部６０４は、例えば、光ディスク装置６００の電源を立ち上げた場合や、光ディスク装置６００に情報担体６０２が装填された場合に、光ディスク装置６００に装填された情報担体６０２の情報面の種類を判別する。判別する情報面の種類の数は、特に限定されず、２種類であってもよいし、３種類以上であってもよい。また、装填された情報担体６０２が有する全ての情報面を判別してもよいし、一部の情報面を判別してもよい。
【０１３６】
情報面判別制御部６０４は、設定制御部６０６と判別制御部６０８とを備える。設定制御部６０６は、情報担体６０２の情報面に光ビームを集束する集束部の開口数を、異なる開口数のうちで最小の第１開口数に設定する制御を行う。あるいは、設定制御部６０６は、集束部の開口数を、前述した第２開口数に設定する制御を行ってもよい。また、設定制御部６０６は、第１開口数に設定したあと、異なる開口数のうちで小さい開口数から順に設定していってもよい。
【０１３７】
判別制御部６０８は、設定制御部６０６によって設定された第１開口数を用いて光ディスク装置６００に装填された情報担体６０２の情報面の種類を判別する制御を行う。判別制御部６０８は、第１開口数を用いて全ての情報面の種類の判別を行ってもよい。また、設定制御部６０６が異なる開口数のうちで小さい開口数から順に設定していく場合、判別制御部６０８は、設定制御部６０６によって設定された開口数で光ビームが照射された情報面からの反射光の検出結果に応じた信号に基づいて、情報面の種類がその開口数に対応する種類であるか否かを判別していってもよい。
【０１３８】
情報担体６０２は、光ビームによってアクセスすることが可能な記録媒体である。情報担体６０２は、例えば、積層された１または複数の情報面を有する。情報担体６０２は、例えば、光ディスクである。情報担体６０２は、音楽ＣＤ、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、＋ＲＷ、＋Ｒ等であってもよいし、青色以下の波長を使用する高密度の光ディスクであってもよい。また、これらの組み合わせであってもよい。すなわち、一枚の光ディスクにＣＤ、ＤＶＤ、青色光用ディスク等の複数種類の情報面を設けたものであってもよい。
【０１３９】
異なる開口数は、０．８５＋０．０１〜０．８５−０．０１、０．６＋０．０１〜０．６−０．０１および０．５０＋０．０１〜０．５０−０．０１の少なくとも１つを含むものであってもよい。また、異なる開口数は、０．８５＋０．０１〜０．８５−０．０１、０．６＋０．０１〜０．６−０．０１および０．４５＋０．０１〜０．４５−０．０１の少なくとも１つを含むものであってもよい。さらに、異なる開口数は、上記以外の開口数を含むものであってもよい。
【０１４０】
図３４は、図３３に示した光ディスク装置６００の概略構成を示す図である。なお、前述した実施形態１の光ディスク装置１００と同じ構成については、図２と同じ符号を付している。実施形態６に係る光ディスク装置６００は、集束部１１０と、検出部１１２と、信号生成部１１４と、情報面判別制御部６０４と、を備える。情報面判別制御部６０４は、集束部１１０の開口数を、異なる開口数のうちで最小の第１開口数に設定する制御信号を出力する。情報面判別制御部６０４は、信号生成部１１４からの信号を入力し、入力した信号に基づいて、情報面の種類が、設定された開口数に対応する種類であるか否かを判別する。
【０１４１】
なお、光ディスク装置６００の詳細な構成は、例えば、図３〜図５に示した構成と同様である。実施形態６のマイクロコンピュータは、情報面判別制御部６０４を具現化する。
【０１４２】
図３５は、図３３に示した情報担体６０２の一例を示す図である。情報担体６０２は、１または複数の情報面６１０−１〜６１０−Ｘを備える。情報担体６０２の厚さは、例えば、約１．２ｍｍである。対物レンズ１５０からの光ビームは、表面６１３から入射し、何れかの情報面に集束する。各情報面６１０−１〜６１０−Ｘは、例えば、ＣＤ用、ＤＶＤ用または青色以下の波長の光を使用する光ディスク用の情報面である。情報面６１０−１〜６１０−Ｘは、同じ種類の情報面を複数層含んでいてもよいし、全て異なる種類であってもよいし、全て同じ種類であってもよい。
【０１４３】
各情報面６１０−１〜６１０−Ｘは、表面６１３からそれぞれ異なった距離だけ離れた位置（情報面位置）に配置される。表面６１３から各情報面６１０−１〜６１０−Ｘまでの距離は特に限定されず、例えば、１．２＋０．３〜１．２−０．１ミリメートル、０．６＋０．５３〜０．６−０．５ミリメートル、１００＋５〜１００−５マイクロメートルまたは７５＋５〜７５−５マイクロメートルであってもよい。
【０１４４】
以上の構成において、実施形態６の動作について図３６を参照して説明する。
【０１４５】
図３６は、実施形態６に係る情報面判別処理の流れを示すフローチャートである。なお、実施形態１と同じ動作については、図９と同じ符号を付している。実施形態６に係る情報面判別処理では、設定制御部６０６によるステップＳ１００のあと、判別制御部６０８が、ステップＳ１００で設定された第１開口数を用いて情報担体６０２の情報面６１０（６００−１〜６００−Ｘ）の種類を判別する（Ｓ６０２）。
【０１４６】
判別制御部６０８は、例えば、対物レンズ１５０−１を介して情報面６１０に光ビームを照射するように光ヘッド装置１２０を制御し、情報面６１０からの反射光の検出結果に応じた信号に基づいて情報面６１０の種類を判別する。判別制御部６０８は、例えば、ＦＥ信号、ＴＥ信号、ＡＳ信号もしくはＲＦ信号、またはこれらの信号の何れかの組み合わせに基づいて情報面６１０の種類を判別する。判別制御部６０８は、第１開口数を用いて情報面６１０の種類を全て判別してもよいし、開口数を切り換えつつ各種類を判別していってもよい。また、光ディスク装置６００に装填された情報担体６０２が有する全ての情報面６１０の種類を判定してもよいし、一部の情報面６１０の種類を判定してもよい。
【０１４７】
前述した様に、実施形態６によれば、情報担体６０２の情報面６１０に光ビームを集束する集束部１１０の開口数を、異なる開口数のうちで最小の第１開口数に設定し、設定された第１開口数を用いて情報面６１０の種類を判別するので、情報担体６０２と集束部１１０との距離を十分とりつつ情報面６１０の種類を判別することができるため、集束部１１０と情報担体６０２との衝突を低減することができる。
【０１４８】
（実施形態７）
図３７は、本発明の実施形態７に係る光ディスク装置の概略構成を示す図である。なお、前述した実施形態６の光ディスク装置６００と同じ構成については、図３４と同じ符号を付している。実施形態７に係る光ディスク装置６５０は、集束部１１０と、検出部１１２と、信号生成部１１４と、垂直移動部６６２と、情報面判別制御部６５２と、を備える。情報面判別制御部６５２は、設定制御部６０６と、判別制御部６０８と、移動制御部６５８と、カウント部６６０と、フォーカス制御部６６１と、を具備する。
【０１４９】
垂直移動部６６２は、情報面６１０と略垂直な方向に集束部１１０を移動させる。これにより、光ビームスポットが情報面６１０と略垂直な方向に移動する。フォーカス制御部６６１は、信号生成部１１４からの信号に応じて垂直移動部６６２を駆動し、情報担体６０２の何れかの情報面上に光ビームが集束されるように制御する。
【０１５０】
カウント部６６０は、情報担体６０２の情報面６１０の層数をカウントする。例えば、装填された情報担体６０２の情報面６１０が１層ならば、カウント数は１となり、装填された情報担体６０２の情報面６１０が２層ならば、カウント数は２となり、装填された情報担体６０２の情報面６１０がＸ層ならば、カウント数はＸとなる。カウント部６６０は、信号部１１４からの信号に基づいて層数をカウントしてもよいし、判別制御手段６０８の判別結果に基づいて層数をカウントしてもよい。これにより、装填された情報担体６０２の情報面６１０の層数を検出することができる。
【０１５１】
移動制御部６５８は、判別制御部６０８が情報面６１０の判別を行う場合に、垂直移動部６６２を駆動し、情報面６１０が配置されるべき異なる位置のうちで、表面６１３から遠い位置から順に光ビームが集束されるように制御する。移動制御部６５８は、例えば、表面６１３から約１．２ミリメートル離れた情報面位置から表面６１３に向かって光ビームスポットを移動させる。これにより、集束部１１０が情報担体６０２から離れる方向に移動するため、集束部１１０と情報担体６０２の衝突をさらに低減することができる。あるいは、移動制御部６５８は、表面６１３に近い位置から順に光ビームが集束されるように制御してもよい。
【０１５２】
なお、光ディスク装置６５０の詳細な構成は、例えば、図３〜図５に示した構成と同様である。フォーカスアクチュエータ駆動回路１３４およびフォーカスアクチュエータ１５２は、垂直移動部６６２に対応する。実施形態７のマイクロコンピュータは、情報面判別制御部６５２を具現化する。
【０１５３】
以上の構成において、実施形態７の動作について図３８、図３９を参照して説明する。図３８は、実施形態７に係る情報面判別方法を説明する図である。この情報面判別方法では、まず、設定制御部６０６が、集束部１１０の開口数を異なる開口数のうちで最小の第１開口数に設定する。次に、移動制御部６５８は、垂直移動部６６２を駆動し、表面６１３から異なる距離だけ離れた情報面位置のうちで、表面６１３から遠い情報面位置から順に光ビームが集束されるように制御する。
【０１５４】
光ビームスポットが情報面６１０を通過する場合、信号生成部１１４が生成する信号に、図３８に示すような波形が現れる。判別制御部６０８は、この波形に基づいて各情報面６１０の種類を判別する。判別制御部６０８は、例えば、実施形態１と同様の方法で判別処理を行う。また、カウント部６６０は、判別制御部６０８の判別結果または信号生成部１１４の信号波形に基づいて、情報面６１０の数をカウントする。
【０１５５】
判別制御部６０８による判別が終了すると、装填された情報担体６０２の各情報面６１０の種類が明らかになる。したがって、どの情報面に対しても自由にフォーカスを引き込むことが可能となる。フォーカス制御部６６１は、判別制御部６０８による判別のあと、判別制御部６０８による判別結果に基づいて、装填された情報担体の情報面６１０のうちで所望の情報面に最初にフォーカスを引き込む。
【０１５６】
次に、開口数を切り換えつつ情報面６１０の種類を判別する方法について説明する。図３９は、開口数を切り換えつつ情報媒体１０２の情報面６１０の種類を判別する情報担体判別処理の流れを示すフローチャートである。なお、実施形態１と同じ動作については、図１１と同じ符号を付している。この情報担体判別処理では、前述したステップＳ１００のあと、移動制御部６５８が、表面６１３から最も離れた情報面位置の前後で光ビームスポットが移動するように集束部１１０を制御する（Ｓ６１０）。移動制御部６５８は、情報面位置を光ビームスポットが１回通りすぎるように制御してもよいし、情報面位置前後で光ビームスポットが１回以上往復するように制御してもよい。この位置に情報面６１０が存在すれば、図３８に示したような波形が検出される。
【０１５７】
次に、判別制御部６０８は、信号生成部１１４からの信号に基づいて、光ビームスポットが通過した情報面位置に、設定されている開口数に対応する情報面が存在するか否かを判定する（Ｓ６１２）。判別制御部６０８は、例えば、信号生成部１１４からの信号のレベルに基づいて、設定されている開口数に対応する情報面が存在するか否かを判定する。設定されている開口数に対応する情報面が存在しない場合は、ステップＳ６１６に進む。一方、設定されている開口数に対応する情報面が存在する場合は、判別制御部６０８が情報面の種類を記憶し（Ｓ６１４）、カウント部６６０がカウント値をインクリメントし（Ｓ６１５）、ステップＳ６１６に進む。
【０１５８】
ステップＳ６１６では、情報面判別処理が終了したか否かを判定する。例えば、移動制御部６５８は、光ビームスポットが表面６１３に最も近い情報面位置を通過したか否かを判定することによって、情報面判別処理が終了したか否かを判定する。情報面判別処理が終了した場合は、フォーカス制御部６６１が、判別制御部６０８による判別結果に基づいて、所望の情報面にフォーカスを引き込む（Ｓ６２２）。
【０１５９】
一方、情報面判別処理が終了していない場合は、設定制御部６０６によるステップＳ１１４が行われる。ステップＳ１１４のあと、移動制御部６５８は、光ビームスポットが通過した情報面位置の次に表面６１３から遠い情報面位置の前後で光ビームスポットを移動させる制御信号を出力する（Ｓ６２０）。移動制御部６５８は、その情報面位置を光ビームスポットが１回通りすぎるように制御してもよいし、その情報面位置前後で光ビームスポットが１回以上往復するように制御してもよい。
【０１６０】
その後、ステップＳ６１２に戻る。なお、上記情報面判別処理において、フォーカス制御部６６１は、各情報面位置でフォーカス制御をオフに保ってもよいし、各情報面位置でフォーカス制御をオンにしてもよい。また、ステップＳ１００とステップＳ６１０の順序を入れ替えてもよいし、ステップＳ１１４とステップＳ６２０の順序を入れ替えてもよい。
【０１６１】
前述した様に、実施形態７によれば、集束部１１０と情報担体６０２との衝突を低減しつつ、装填された情報担体６０２の情報面６１０の層数や各情報面６１０の種類を検出することができる。
【０１６２】
（実施形態８）
前述した実施形態６または実施形態７を実施形態２に適用してもよい。図４０は、本発明の実施形態８に係る光ディスク装置の概略構成を示す図である。なお、前述した実施形態２、６、７と同じ構成については、図１２、図３７と同じ符号を付している。実施形態８に係る光ディスク装置７００は、集束部２０１と、検出部１１２と、信号生成部１１４と、光源部２１０と、垂直移動部６６２と、情報面判別制御部７０２と、を備える。
【０１６３】
情報面判別制御部７０２は、設定制御部７０４と、波長設定制御部７０６と、判別制御部７０８と、移動制御部６５８と、カウント部６６０と、フォーカス制御部６６１と、を備える。設定制御部７０４は、実施形態６、７の設定制御部６０６と同様の動作により、集束部２０１の開口数を設定する制御信号を出力する。集束部２０１の開口数を設定する制御は、光ビームの波長を設定する制御とは別に独立して行うことができる。判別制御部７０８は、実施形態６、７の判別制御部６０８と同様の動作により、装填された情報担体６０２の情報面６１０の種類が、設定された開口数および波長に対応する種類であるか否かを判別する。
【０１６４】
波長設定制御部７０６は、設定制御部７０４が集束部２０１の開口数を第１開口数に設定する制御を行う場合に、光源部２１０が出力する光ビームの波長を前述した第１波長に設定する制御を行う。あるいは、波長設定制御部７０６は、光源部２１０が出力する光ビームの波長を、前述した第２波長に設定する制御を行ってもよい。また、波長設定制御部７０６は、異なる波長のうちで長い波長から順に設定していってもよい。
【０１６５】
なお、光ディスク装置７００の詳細な構成は、例えば、図１３〜図１５に示した構成と同様である。実施形態８のマイクロコンピュータは、情報面判別制御部７０２を具現化する。
【０１６６】
以上の構成において、実施形態８の動作について図４１、図４２を参照して説明する。図４１は、実施形態８に係る情報面判別処理の流れを示すフローチャートである。なお、実施形態２と同じ動作については、図１６と同じ符号を付している。この情報面判別処理では、設定制御部７０４、波長設定制御部７０６によるステップＳ２００、Ｓ２０２のあと、判別制御部７０８が、ステップＳ２００、Ｓ２０２で設定された第１開口数および第１波長を用いて情報面６１０の種類を判別する（Ｓ７００）。
【０１６７】
判別制御部７０８は、例えば、対物レンズ１５０−１を介して光ビームが照射された情報担体６０２からの反射光の検出結果に応じた信号を入力し、入力した信号に基づいて情報面６１０の種類を判別する。判別制御部７０８は、ＦＥ信号、ＴＥ信号、ＡＳ信号もしくはＲＦ信号、またはこれらの信号の何れかの組み合わせに基づいて情報面６１０の種類を判別してもよい。判別制御部７０８は、第１開口数および第１波長を用いて情報面６１０の種類を全て判別してもよいし、開口数および波長を切り換えつつ各種類を判別していってもよい。また、ステップＳ２００とステップＳ２０２との順序を逆にしてもよい。また、判別制御部７０８は、光ディスク装置７００に装填された情報担体６０２が有する全ての情報面６１０の判別を行ってもよいし、一部の情報面６１０の判別を行ってもよい。
【０１６８】
ステップＳ７００において、移動制御部６５８は、垂直移動部６６２を駆動し、表面６１３から異なる距離だけ離れた情報面位置のうちで、表面６１３から遠い情報面位置から順に光ビームが集束されるように制御する。あるいは、移動制御部６５８は、表面６１３から近い情報面位置から順に光ビームが集束されるように制御してもよい。判別制御部６０８は、図３８に示した波形に基づいて各情報面６１０の種類を判別する。また、カウント部６６０は、判別制御部６０８の判別結果または信号生成部１１４の信号波形に基づいて、情報面６１０の数をカウントする。フォーカス制御部６６１は、判別制御部７０８による判別のあと、判別制御部６０８による判別結果に基づいて、所望の情報面に最初にフォーカスを引き込む。
【０１６９】
次に、開口数および波長を切り換えつつ情報面６１０の種類を判別する方法について説明する。図４２は、開口数および波長を切り換えつつ情報面６１０の種類を判別する情報面判別処理の流れを示すフローチャートである。なお、実施形態２、６、７と同じ動作については、図１７、図３９と同じ符号を付している。この情報面判別処理では、前述したステップＳ２０２のあと、集束部２０１を制御してステップＳ６１０が行われる。次に、判別制御部７０８は、信号生成部１１４からの信号に基づいて、光ビームスポットが通過した情報面位置に、設定されている開口数および波長に対応する情報面が存在するか否かを判定する（Ｓ７０２）。判別制御部７０８は、例えば、情報担体６０２からの検出信号のレベルに基づいて、設定されている開口数および波長に対応する情報面が存在するか否かを判定する。
【０１７０】
設定されている開口数および波長に対応する情報面が存在しない場合は、ステップＳ６１６に進む。一方、設定されている開口数に対応する情報面が存在する場合は、ステップＳ６１４、Ｓ６１５に進む。ステップＳ６１６で、情報面判別処理が終了していないと判定された場合は、設定制御部７０４、波長設定制御部７０６によるステップＳ２１４、Ｓ２１６が行われる。次に、集束部２０１を制御してステップＳ６２０が行われ、その後、ステップＳ７０２に戻る。なお、上記情報面判別処理において、フォーカス制御部６６１は、各情報面位置でフォーカス制御をオフに保ってもよいし、各情報面位置でフォーカス制御をオンにしてもよい。また、ステップＳ２００、Ｓ２０２およびＳ６１０の順序を入れ替えてもよいし、ステップＳ２１４、Ｓ２１６およびＳ６２０の順序を入れ替えてもよい。
【０１７１】
上述した例では、情報面６１０の種類を判別する場合に、情報面判別制御部７０２が、開口数および波長の両方を切り換えて情報面６１０の判別を行う。しかし、情報面判別制御部７０２は、波長を切り換えずに情報面６１０の判別を行ってもよい。例えば、可変波長レーザ装置２２２の波長を第１波長に保ち、開口数を切り換えつつ情報面６１０の判別処理を行ってもよい。これにより、情報面６１０に対する短波長の誤照射を低減し、情報面６１０に既に記録されている情報を保護することができる。
【０１７２】
前述した様に、実施形態８によれば、第１波長の光源部２１０と第１開口数の集束部２０１とを組み合わせて情報面６１０の判別を行うことができるので、情報担体６０２と集束部２０１との距離を十分とることができるため、集束部２０１と情報担体６０２との衝突を低減することができる。
【０１７３】
（実施形態９）
実施形態６または実施形態７を実施形態３に適用してもよい。図４３は、本発明の実施形態９に係る光ディスク装置の概略構成を示す図である。なお、前述した実施形態３、８と同じ構成については、図１８、図４０と同じ符号を付している。実施形態９に係る光ディスク装置７２０は、集束部３０２と、検出部１１２と、信号生成部１１４と、光源部２１０と、垂直移動部６６２と、情報面判別制御部７２２と、を備える。
【０１７４】
情報面判別制御部７２２は、設定制御部７２４と、判別制御部７０８と、移動制御部６５８と、カウント部６６０と、フォーカス制御部６６１と、を備える。設定制御部７２４は、光源部２１０が出力する光ビームの波長を第１波長に設定することによって、集束部３０２の開口数を第１開口数に設定する。すなわち、設定制御部７２４は、第１波長の光ビームを出力するように光源部２１０を制御することによって、集束部３０２の開口数を第１開口数に設定する。また、設定制御部７２４は、異なる波長のうちで長い波長から順に設定していくことにより、異なる開口数のうちで小さいものから順に設定していってもよい。
【０１７５】
なお、光ディスク装置７２０の詳細な構成は、例えば、図１９〜図２１に示した構成と同様である。実施形態９のマイクロコンピュータは、情報面判別制御部７２２を具現化する。
【０１７６】
以上の構成において、実施形態９の動作について図４４、図４５を参照して説明する。図４４は、実施形態９に係る情報面判別処理の流れを示すフローチャートである。なお、実施形態３、８と同じ動作については図２３、図４１と同じ符号を付している。この情報担体判別処理では、設定制御部７２４によるステップＳ３００のあと、ステップＳ７００に進む。
【０１７７】
次に、開口数および波長を切り換えつつ情報面６１０の種類を判別する方法について説明する。図４５は、開口数および波長を切り換えつつ情報面６１０の種類を判別する情報面判別処理の流れを示すフローチャートである。なお、実施形態３、８と同じ動作については図２４、図４２と同じ符号を付している。この情報面判別処理では、前述したステップＳ３００のあと、集束部３０２を制御してステップＳ６１０が行われる。次に、ステップＳ７０２に進む。
【０１７８】
ステップＳ６１６で、情報面判別処理が終了していないと判定された場合は、設定制御部７２４によるステップＳ３０２が行われる。次に、集束部３０２を制御してステップＳ６２０が行われ、その後、ステップＳ７０２に戻る。なお、上記情報面判別処理において、フォーカス制御部６６１は、各情報面位置でフォーカス制御をオフに保ってもよいし、各情報面位置でフォーカス制御をオンにしてもよい。また、ステップＳ３００とＳ６１０の順序を入れ替えてもよいし、ステップＳ３０２とＳ６２０の順序を入れ替えてもよい。
【０１７９】
前述したように実施形態９によれば、光源部３０２が出力する光ビームの波長を第１波長に設定することによって集束部３０２の開口数を第１開口数にして情報面６１０の種類を判別するので、集束部３０２と情報担体６０２との距離を十分保つことができ、集束部３０２と情報担体６０２との衝突を低減することができる。
【０１８０】
（実施形態１０）
実施形態８の構成を実施形態４に適用してもよい。図４６は、本発明の実施形態１０に係る光ディスク装置の概略構成を示す図である。なお、前述した実施形態４、８と同じ構成については、図２５、図４０と同じ符号を付している。実施形態１０に係る光ディスク装置７４０は、集束部２０１と、検出部１１２と、信号生成部１１４と、光源部２１０と、情報面判別制御部７４２と、球面収差補正部４０６と、垂直移動部６６２と、を備える。情報面判別制御部７４２は、設定制御部７０４と、波長設定制御部７０６と、判別制御部７４４と、移動制御部６５８と、カウント部６６０と、フォーカス制御部６６１と、球面収差設定制御部７４６と、を備える。
【０１８１】
球面収差設定制御部７４６は、設定制御部７０４が集束部２０１の開口数を第１開口数に設定する場合に、球面収差補正部４０６の補正量を、異なる情報面位置のうちで表面６１３から最も遠い情報面位置に応じた第１補正量に設定する制御信号を出力する。あるいは、球面収差設定制御部７４６は、球面収差補正部４０６の補正量を、異なる情報面位置に含まれる少なくとも１つの情報面位置に比べて表面６１３から遠い位置に対応する第２補正量に設定する制御を行ってもよい。
【０１８２】
異なる情報面位置は、例えば、表面６１３から１．２＋０．３〜１．２−０．１ミリメートル離れた位置、表面６１３から０．６＋０．５３〜０．６−０．５ミリメートル離れた位置、表面６１３から１００＋５〜１００−５マイクロメートル離れた位置および表面６１３から７５＋５〜７５−５マイクロメートル離れた位置の少なくとも１つを含むものであってもよいし、これら以外の位置を含むものであってもよい。また、第２補正量は、異なる情報面位置の何れかに対応するものであってもよいし、異なる情報面位置の何れにも対応しないものであってもよい。また、球面収差設定制御部７４６は、異なる情報面位置のうちで表面６１３から遠い情報面位置に対応する補正量から順に設定していってもよい。判別制御部７４４は、実施形態８の判別制御部７０８と同様の動作により、情報面６１０の種類が、設定された開口数、波長および球面収差補正量に対応する種類であるか否かを判別する。
【０１８３】
なお、光ディスク装置７４０の詳細な構成は、例えば、図２６、図２７に示した構成と同様である。あるいは、光ディスク装置７４０を、図３〜図５に示したように構成してもよい。この場合、光ヘッド装置１４０〜１４４の少なくとも１つに球面収差補正レンズ４２２および球面収差補正アクチュエータ４２０を設け、球面収差補正アクチュエータ４２０を駆動するビームエキスパンダ４１４を設ける。実施形態１０のマイクロコンピュータは、情報面判別制御部７４２を具現化する。
【０１８４】
以上の構成において、実施形態１０の動作について図４７、図４８を参照して説明する。図４７は、実施形態１０に係る情報面判別処理の流れを示すフローチャートである。なお、実施形態４と同じ動作については図３０と同じ符号を付している。この情報面判別処理では、設定制御部７０４、波長設定制御部７０６によるステップＳ２００、Ｓ２０２、および球面収差設定制御部７４６によるステップＳ４００のあと、判別制御部７４４が、ステップＳ２００、Ｓ２０２およびＳ４００で設定された第１開口数、第１波長および第１補正量を用いて情報面６１０の種類を判別する（Ｓ７４０）。なお、ステップＳ２００、Ｓ２０２、Ｓ４００という処理の順序は特に限定されず、これとは異なる順序で処理を行ってもよい。
【０１８５】
次に、開口数、波長および球面収差補正量を切り換えつつ情報面６１０の種類を判別する方法について説明する。図４８は、開口数、波長および球面収差補正量を切り換えつつ情報面６１０の種類を判別する情報面判別処理の流れを示すフローチャートである。なお、実施形態４、８と同じ動作については図３１、図４２と同じ符号を付している。この情報面判別処理では、前述したステップＳ４００のあと、集束部２０１を制御してステップＳ６１０が行われる。次に、判別制御部７４４は、信号生成部１１４からの信号に基づいて、光ビームスポットが通過した情報面位置に、設定されている開口数、波長および球面収差補正量に対応する情報面が存在するか否かを判定する（Ｓ７４２）。判別制御部７４４は、例えば、情報担体６０２からの検出信号のレベルに基づいて、設定されている開口数、波長および球面収差補正量に対応する情報面が存在するか否かを判定する。
【０１８６】
設定されている開口数、波長および球面収差補正量に対応する情報面が存在しない場合は、ステップＳ６１６に進む。一方、設定されている開口数に対応する情報面が存在する場合は、ステップＳ６１４、Ｓ６１５に進む。ステップＳ６１６で、情報面判別処理が終了していないと判定された場合は、設定制御部７０４、波長設定制御部７０６によるステップＳ２１４、Ｓ２１６および球面収差設定制御部７４６によるステップＳ４１２が行われる。次に、集束部２０１を制御してステップＳ６２０が行われ、その後、ステップＳ７４２に戻る。なお、上記情報面判別処理において、フォーカス制御部６６１は、各情報面位置でフォーカス制御をオフに保ってもよいし、各情報面位置でフォーカス制御をオンにしてもよい。また、ステップＳ２００、Ｓ２０２、Ｓ４００およびＳ６１０の順序を入れ替えてもよいし、ステップＳ２１４、Ｓ２１６、Ｓ４１２およびＳ６２０の順序を入れ替えてもよい。
【０１８７】
前述したように実施形態１０によれば、光源部２１０が出力する光ビームの波長を第１波長に設定し、集束部２０１の開口数を第１開口数にし、球面収差補正部４０６の補正量を第１補正量にして情報面６１０の種類を判別するので、集束部２０１と情報担体６０２との距離を十分保つことができ、集束部２０１と情報担体６０２との衝突を低減することができる。
【０１８８】
（実施形態１１）
実施形態９の構成を実施形態５に適用してもよい。例えば、図４９に示すように光ディスク装置を構成してもよい。図４９に示す光ディスク装置７６０は、集束部３０２と、検出部１１２と、信号生成部１１４と、光源部２１０と、情報面判別制御部７６２と、球面収差補正部４０６と、垂直移動部６６２と、を備える。情報面判別制御部７６２は、設定制御部７２４と、判別制御部７４４と、移動制御部６５８と、カウント部６６０と、フォーカス制御部６６１と、球面収差設定制御部７４６と、を備える。
【０１８９】
実施形態１１の動作は、実施形態１０の動作と同様であるが、光ビームの波長を設定することによって開口数を設定する部分が異なる。すなわち、実施形態１１では、図４７および図４８に示した処理において、ステップＳ２００およびＳ２０２に代えてステップＳ３００を実行し、ステップＳ２１４およびＳ２１６に代えてステップＳ３０２を実行する。
【０１９０】
（実施形態１２）
図５０は、本発明の実施形態１２に係る光ディスク装置の概略構成を示す図である。なお、前述した実施形態８、９、１０と同じ構成については、図４６と同じ符号を付している。実施形態１２に係る光ディスク装置７５０は、集束部２０１と、検出部１１２と、信号生成部１１４と、球面収差部４０６、光源部２１０と、垂直移動部６６２と、情報面判別制御部７０２とを備える。
【０１９１】
情報面判別制御部７０２は、設定制御部７０４と、波長設定制御部７０６と、判別制御部７０８と、移動制御部６５８と、Ｓ字制御部６８０と、フォーカス制御部６６１と、フォーカスジャンプ部６８１とを備える。
【０１９２】
Ｓ字制御部６８０は、各開口数でのＳ字信号を計測するＳ字計測部６８０１と、計測したＳ字信号の振幅やオフセット量に応じた信号を記憶するメモリ６８０２と、記憶した振幅やオフセットに応じた信号に基づき、実際にフォーカス制御のためにフォーカス制御部６６１へ入力されるフォーカスエラー信号の振幅やバランスを調整するＳ字補正部６８０３とを有している。
【０１９３】
設定制御部７０４は、実施形態６、７の設定制御部６０６と同様の動作により、集束部２０１の開口数を設定する制御信号を出力する。集束部２０１の開口数を設定する制御は、光ビームの波長を設定する制御とは別に独立して行うことができる。判別制御部７０８は、実施形態８、９の判別制御部６０８と同様の動作により、装填された情報担体６０２の情報面６１０（図３５参照）の種類が、設定された開口数および波長に対応する種類であるか否かを判別する。
【０１９４】
波長設定制御部７０６は、設定制御部７０４が集束部２０１の開口数を第１開口数に設定する制御を行う場合に、光源部２１０が出力する光ビームの波長を前述した第１波長に設定する制御を行う。あるいは、波長設定制御部７０６は、光源部２１０が出力する光ビームの波長を、前述した第２波長に設定する制御を行ってもよい。また、波長設定制御部７０６は、異なる波長のうちで長い波長から順に設定していってもよい。
【０１９５】
このとき、各開口数とそれに対応した波長を設定される毎に、移動制御部６５８によって集束部２０１をディスク６０２へと接近または離間する。そして、そのときに得られるＳ字信号をアナログ−デジタル変換器を介して検出することにより、ＦＥ信号におけるＳ字カーブの極大値や極小値を検出し、Ｓ字カーブの振幅およびオフセットを計測することができる。
【０１９６】
なお、光ディスク装置７５０の詳細な構成は、例えば、図１３〜図１５に示した構成と同様である。実施形態１２のマイクロコンピュータは、情報面判別制御部７０２を具現化する。
【０１９７】
次に、図５１および図５２を参照しながら、本実施形態の動作を説明する。
【０１９８】
図５１および図５２は、いずれも、本実施形態に係る情報面判別処理の流れを示すフローチャートである。なお、実施形態２、８におけるフローのステップと同じステップについては、図１６、図４１のフローチャートと同じ符号を付している。
【０１９９】
この情報面判別処理では、設定制御部７０４、波長設定制御部７０６によるステップＳ２００、Ｓ２０２のあと、球面収差制御部４０４が、球面収差の補正量を第１補正量に設定するように球面収差補正部４０６を制御する（Ｓ４００）。ステップＳ２００、Ｓ２０２で設定された第１開口数および第１波長を用いて、装填されたディスクあるいは情報面６１０を判別する（Ｓ７００）。
【０２００】
図５０の判別制御部７０８は、例えば対物レンズを介して光ビームが照射された情報担体６０２からの反射光の検出結果に応じた信号を受け取り、その信号に基づいて情報面６１０を判別する。
【０２０１】
判別制御部７０８は、ＦＥ信号、ＴＥ信号、ＡＳ信号もしくはＲＦ信号、またはこれらの信号の何れかの組み合わせに基づいて情報面６１０の種類の判別（何層目の情報面かなどの情報面の特定）を行なってもよい。判別制御部７０８は、第１開口数および第１波長を用いて情報面６１０の種類を全て判別してもよいし、開口数および波長を切り換えつつ各種類を判別していってもよい。また、ステップＳ２００とステップＳ２０２との順序を逆にしてもよい。
【０２０２】
判別制御部７０８は、光ディスク装置７４０に装填された情報担体６０２が有する全ての情報面６１０の判別を行ってもよいし、一部の情報面６１０の判別を行ってもよい。
【０２０３】
ステップＳ７００において、図５０の移動制御部６５８は、垂直移動部６６２を駆動し、表面６１３から異なる距離だけ離れた情報面位置のうちで、表面６１３から遠い情報面位置から順に光ビームが集束されるように制御する。あるいは、移動制御部６５８は、表面６１３から近い情報面位置から順に光ビームが集束されるように制御してもよい。判別制御部７０８は、図５３に示した波形に基づいて各情報面６１０の種類を判別する。
【０２０４】
また、図５０のＳ字計測部６８０１は、図５３に示すように設定した開口数、波長に合致させた情報面でのＦＥの極大点Ｐ、極小点Ｑを求め、その極大点Ｐ、極小点Ｑにより、振幅Ｌおよびオフセットｄを計測する。本明細書では、このようなＦＥ信号のＳ字カープを特徴付けるパラメータの測定を「Ｓ字計測」と簡略的に表現する場合がある。
【０２０５】
計測した振幅Ｌおよびオフセットｄは、図５０のメモリ６８０２に格納記憶する。Ｓ字補正部６８０３は、フォーカス制御部６６１へ入力するＦＥ信号のＳ字パラメータの補正、すなわちフォーカスエラー信号の振幅やバランスの補正を行うことにより、安定な引き込み性能を確保する。
【０２０６】
フォーカス制御部６６１は、このＳ字補正部におけるＦＥ補正のあと、判別制御部６０８による判別結果に基づいて、所望の情報面に最初にフォーカスを引き込む。
【０２０７】
次に、開口数および波長を切り換えつつ装填された光ディスクあるいは情報面６１０の種類を判別する方法について説明する。図５２は、開口数および波長を切り換えつつ情報面６１０の種類を判別する情報面判別処理の流れを示すフローチャートである。なお、実施形態２、６、７におけるフローのステップと同じステップについては、図１７、図３９のフローチャートと同じ符号を付している。
【０２０８】
この情報面判別処理では、前述したステップ４００のあと、集束部２０１を制御してステップＳ６１０を行なう。次に、図５０の判別制御部７０８は、信号生成部１１４からの信号に基づいて、光ビームスポットが通過した情報面位置に、設定されている開口数および波長に対応する情報面が存在するか否かを判定する（Ｓ７４２）。判別制御部７０８は、例えば、光ディスク６０２からの検出信号のレベルに基づいて、設定されている開口数および波長に対応する情報面が存在するか、否かを判定する。
【０２０９】
設定されている開口数および波長に対応する情報面が存在しない場合は、ステップＳ６１６に進む。一方、設定されている開口数に対応する情報面が存在する場合は、ステップＳ６１４、Ｓ６１５に進む。その後、ステップＳ６１６で、情報面判別処理が終了していないと判定された場合は、設定制御部７０４、波長設定制御部７０６によるステップＳ２１４、Ｓ２１６、Ｓ４１２が行われる。次に、集束部２０１を制御してステップＳ６２０が行われ、その後、ステップＳ７４２に戻る。また、ステップＳ２００、Ｓ２０２、Ｓ４００、およびＳ６１０の順序を入れ替えてもよいし、ステップＳ２１４、Ｓ２１６、Ｓ４１２、およびＳ６２０の順序を入れ替えてもよい。
【０２１０】
開口数および波長を切り換えて、装填された光ディスクあるいはアクセスする情報面６１０の種類の判別が完了した後、そのディスクあるいは情報面に合致した所望の開口数（Ｓ８０１）、波長（Ｓ８０２）、球面収差の補正量（Ｓ８０３）を順次設定していく。
【０２１１】
これらの設定後、計測し、記憶したＳ字信号の振幅が所定の振幅になるように、かつ、オフセットが０になるように振幅補正（Ｓ８０４）と、バランス調整（Ｓ８０５）を行い、フォーカス制御をＯＮし（Ｓ８０６）、フォーカスジャンプを行なう（Ｓ８０７）。
【０２１２】
光ディスク装置７５０に装填された光ディスクが、例えば３つの情報面Ｌ０〜Ｌ２を有する場合、光ビームの収束点（焦点位置）が各情報面（層）を横切るときに、ＦＥ信号に３つのＳ字部分が現れる。この部分をＳ字信号と称することにする。各々の情報面において得られたＳ字信号の振幅および/またはオフセットなどのパラメータ値を、Ｓ字制御部６８０で計測し、得られたパラメータ値を光ディスク装置７５０内のメモリ６８０２に格納する。
【０２１３】
図５０に示すフォーカスジャンプ制御部６８１によって、ある情報面から他の情報面へ向かって、光ビームの焦点を移動させる場合、本実施形態では、上記のメモリ６８０２に格納した各情報面におけるＳ字信号の振幅及びオフセットに応じて補正を行なう。この補正が行なわれたＦＥ信号により、フォーカスジャンプのための加速パルス、減速パルスを出力し、レンズアクチュエータを駆動する。
【０２１４】
以下、上記の動作を説明するため、情報面Ｌ２周辺からＬ０へのフォーカスジャンプを考える。
【０２１５】
まず、図５４を参照する。図５４は、情報面Ｌ２から情報面Ｌ０へのフォーカスジャンプ時の制御信号と、光ビームの焦点位置との関係を示す。本実施形態における光ディスク装置７５０の集束部２０１によって形成された光ビームの収束点が光ディスク６０２の保護膜側のＡ点から情報面Ｌ２に近づくと、情報面Ｌ２からの反射光量が増し、それに伴ってＦＥ信号は略０からマイナス極性側に振幅が増加する。ＦＥ信号の振幅は、Ｂ点でピークとなり、その後減少する。焦点が情報面Ｌ２に到達したとき（Ｃ点）、ＦＥ信号の振幅は０となる。このとき、一旦情報面Ｌ２に対するフォーカス制御を行い、その後、以下の処理を実行してもよい。なお、Ｃ点までの実線のＦＥ信号は、情報面Ｌ２に対してフォーカス制御が行われている場合の波形を示している。
【０２１６】
焦点が情報面Ｌ２を離れて情報面Ｌ１の方向に進むと、ＦＥ信号の振幅がプラス極性側に増加する。ＦＥ信号の振幅はＤ点でピークとなった後、減少してＥ点で０となる。さらに情報面Ｌ１に近づくと、情報面Ｌ１からの反射光量が増してくるため、ＦＥ信号は略０からマイナス極性側に振幅が増加する。ＦＥ信号の振幅はＦ点でピークとなった後、減少する。そして、焦点が情報面Ｌ１に到達したとき（Ｇ点）、ＦＥ信号の振幅は０となる。
【０２１７】
焦点が情報面Ｌ１を離れて情報面Ｌ０の方向に進むと、ＦＥ信号の振幅がプラス極性側に増加する。ＦＥ信号の振幅はＨ点でピークとなった後、減少してＩ点で０となる。さらに情報面Ｌ０に近づくと、情報面Ｌ０からの反射光量が増してくるため、ＦＥ信号は略０からマイナス極性側に振幅が増加する。ＦＥ信号はＪ点で極小となった後、増加する。そして、焦点が情報面Ｌ０に到達したとき（Ｋ点）、ＦＥ信号の振幅は０となる。
【０２１８】
次に、焦点は情報面Ｌ０を通り過ぎて移動する。この移動に伴い、ＦＥ信号の振幅はプラス極性側に増加してＰ点でピークとなった後、徐々に減少して０になる（Ｍ点）。その後、焦点がこれまでとは反対の方向（光ディスク６０２から離れる方向）に移動すると、再びＦＥ信号の振幅が略０からプラス極性側に増大する。そしてＮ点でピークとなった後、減少し、フォーカス制御可能なレベルに至ると（Ｏ点）、フォーカスジャンプは終了してフォーカス制御動作に移行する。
【０２１９】
上述のＭ点は光ディスク６０２の表面から最も深い位置にあるため、焦点が上述のＭ点に到達したとき、集束レンズは光ディスク６０２に最も近づく。しかし、本実施形態の光ディスク装置では集束レンズと光ディスク６０２とが衝突することはない。
【０２２０】
次に、上述のフォーカスジャンプ動作を行う際の制御信号を説明する。情報面Ｌ２から情報面Ｌ０にフォーカスジャンプするとき、光ディスク装置７５０内のマイクロコンピュータは、集束部２０１内のレンズアクチュエータを駆動する回路に加速信号および減速信号を印加し、焦点を区間Ｘの範囲で移動させる。なお焦点が区間Ｘの範囲を移動するとき、加速信号および減速信号の極性が逆であることを除いては、情報面Ｌ０から情報面Ｌ２へのフォーカスジャンプ時の制御信号と同じである。そこで、以下では焦点が区間Ｙの範囲を移動するときの制御信号を説明する。
【０２２１】
Ｋ点に到達すると、マイクロコンピュータは減速信号の印加を終了し、光ディスク装置７５０は制御信号を生成しないウエイト状態に入る。ただし、減速信号が印加されなくなっても集束レンズは慣性で移動し続けるので、焦点は情報面Ｌ０を超えてほぼ定速で移動し続ける。その結果、ＦＥ信号の振幅もプラス極性側に増加し、Ｐ点でピークになる。
【０２２２】
ピーク点Ｐを通過すると、マイクロコンピュータは焦点の移動速度を減速させるための減速パルス列を生成する。その結果、集束レンズはこれまでとは反対の方向（光ディスク６０２から離れる方向）の加速度を受け、焦点は減速する。
【０２２３】
そしてＦＥ信号がゼロクロスする位置（Ｍ点）までの間に減速して停止する。マイクロコンピュータは減速パルス列をその後も生成し続ける。その結果、焦点は再び情報面Ｌ０の方に引き戻され、ＦＥ信号の振幅も再びプラス極性側に増加する。ＦＥ信号の振幅はＮ点においてピークになり、その後減少する。マイクロコンピュータは、フォーカス制御が可能なＦＥ信号が得られるまでさらに減速パルスを生成し、その後、情報面Ｌ０に追従するフォーカス制御を開始する。
【０２２４】
ＦＥ信号の振幅がピークを通過し（Ｐ点）さらにゼロクロスすると（Ｍ点）、一般には情報面Ｌ０に対してフォーカス制御することは不可能である。しかし、光ビームの焦点を逆方向に移動させると再びＦＥ信号にピークが現れ、その後ゼロクロスすることは明らかである。さらに、そのゼロクロスを含む所定の範囲がフォーカス制御可能な範囲であることも明らかである。よって、フォーカス制御ができないＭ点からであっても、本実施形態の光ディスク装置は焦点を逆に移動させ、ＦＥ信号を監視することにより、情報面Ｌ０に対するフォーカス制御を可能な状態にすることができる。なお、より確実に動作させるため、この光ディスク装置はＦＥ信号のピーク値を保持し、焦点を逆方向に移動させたときにそのピーク値とＦＥ信号の値とを比較して、フォーカス制御可能な範囲まで戻ったか否かを判定している。
【０２２５】
次に、図５５を参照しながら、本実施形態の光ディスク装置７５０が光ディスク６０２に近づく方向へフォーカスジャンプを行うときの手順を説明する。
【０２２６】
まず、光ディスク装置７５０内のマイクロコンピュータは、図５５に示すステップＳ１１０においてトラッキング制御を停止するとともに、ステップＳ１１２においてフォーカス制御のための駆動信号をホールドする。次に、ステップＳ１１４において、マイクロコンピュータは、加速パルス列を生成して、駆動回路を介してフォーカスアクチュエータに印加する。続いて、ステップＳ１１６において、ゲイン切換回路１６４のゲイン設定値をジャンプ先の情報面Ｌ２に応じた値に切り換え、ステップＳ１１８では、ジャンプ先の情報面Ｌ２に応じてフォーカス制御可能なレベルを設定する。これにより、フォーカスジャンプ先の情報面Ｌ２のＳ字信号およびフォーカス制御可能なレベルを正しく検出することができる。なお、ゲイン設定値およびフォーカス制御可能なレベルは、情報面ごとに予め規定され、不揮発性メモリ（図示せず）等に保持されている。
【０２２７】
次に、マイクロコンピュータは、ステップＳ１２０において減速パルス列を生成して、駆動回路を介してフォーカスアクチュエータに印加する。そして、ステップＳ１２２において区間Ｘが終了したか否か、すなわち、焦点がＭ点に到達したか否かを判定する。焦点がＭ点に到達したか否かは、波形が予め得られているＦＥ信号を監視することによって判定できる。具体的には、マイクロコンピュータは、ＦＥ信号が負から正に変化しているときの１つ目のゼロクロス点の位置をＣ点であると認識し、その後、ＦＥ信号が再び負から正に変化しているときの２つ目のゼロクロス点の位置をＧ点であると認識する。その結果、マイクロコンピュータは、その後の極小値に対応する位置がＪ点であると判断できる。なお、マイクロコンピュータは、全光（ＡＳ）信号やＲＦ信号のエンベロープ等の他の信号に基づいて判定してもよい。
【０２２８】
マイクロコンピュータは焦点がＭ点に到達したと判定すると、ステップＳ１２４において減速パルス列の印加を終了する。
【０２２９】
マイクロコンピュータは、減速パルスの印加を終了した後、ステップＳ２２６において一定の期間、加速減速両極性のパルス列の印加を開始するウエイト状態に入り、ＦＥ信号を検出する。このウエイト状態は、ＦＥ信号にＳ字ピーク（図５４のＰ点）が現れるまで継続する。ＦＥ信号にＳ字ピークが現れたと判断すると（Ｓ２２８）、ステップＳ２３０において、マイクロコンピュータはそのピーク値を記録して、ステップＳ２３２において、フォーカスジャンプ先の情報面Ｌ０のフォーカス制御レベルを計算する。その後、ステップＳ２３４において、フォーカス制御可能レベルが検出されるまで焦点を情報面Ｌ０側に引き戻す逆転パルスを駆動回路に与える。なお、マイクロコンピュータは、保持されたピーク値と等しくなった後のＦＥ信号のレベルがフォーカス制御可能レベルであると判断する。この後、マイクロコンピュータは、ステップＳ１３０、Ｓ１３２およびＳ１３４を実行する。ステップＳ１３０において、マイクロコンピュータは、パルス列の印加を終了し、フォーカス制御用の駆動信号のホールドを解除し、フォーカス制御を動作状態にする。これにより、安定したフォーカス制御が可能になる。ステップＳ１３２において、マイクロコンピュータがＴＥ信号やＲＦ信号等の信号に基づいてフォーカス制御が正常に開始されたことを確認すると、ステップＳ１３４においてトラッキング制御を動作状態にする。以後は、所定のトラック・セクタ番地を検索して、データの再生等を行う。
【０２３０】
集束レンズが光ディスク６０２に近づくフォーカスジャンプは、情報面Ｌ２から情報面Ｌ０へのフォーカスジャンプに限らず、例えば情報面Ｌ２から情報面Ｌ１へのフォーカスジャンプおよび情報面Ｌ１から情報面Ｌ０へのフォーカスジャンプも同様に可能である。
【０２３１】
このように本実施形態の光ディスク装置７５０によれば、情報面判別の処理によって得られたデータに基づいて、ＦＥ信号を補正できるため、その後に行うフォーカスジャンプを適切に実行することが可能になる。
【０２３２】
なお、実施形態１〜実施形態１２の光ディスク判別制御部および情報面判別制御部は、ＲＯＭやＲＡＭ等のコンピュータ読み取り可能な記録媒体（図示略）に格納されたプログラムをプロセッサ（図示略）が読み取り、そのプロセッサ（図示略）がプログラムを実行することによって具現化されるものであってもよい。すなわち、光ディスク判別制御部および情報面判別制御部は、ソフトウェアやファームウェアによって構成されるものであってもよい。また、光ディスク判別制御部および情報面判別制御部は、その一部または全部をハードウェアによって構成されるものであってもよい。
【産業上の利用可能性】
【０２３３】
対物レンズなどの集束手段と光ディスクとの衝突が低減された光ディスク装置が提供される。
【図面の簡単な説明】
【０２３４】
【図１】本発明の実施形態１に係る光ディスク判別制御部を示す図
【図２】図１に示した光ディスク装置の概略構成を示す図
【図３】図２に示した光ディスク装置の一構成例を示す図である。
【図４】図３に示した光ヘッド装置の一構成例を示す図である。
【図５】図４に示した光ヘッド装置の一構成例を示す図である。
【図６】図１に示した情報担体の一例を示す図である。
【図７】実施形態１に係る情報トラックの構成を示す図である。
【図８】実施形態１に係る対物レンズと情報担体との位置関係を説明する図である。
【図９】実施形態１に係る情報担体判別処理の流れを示すフローチャートである。
【図１０】実施形態１に係る情報担体判別方法を説明する図である。
【図１１】実施形態１に係る開口数を切り換えつつ情報媒体の種類を判別する情報担体判別処理の流れを示すフローチャートである。
【図１２】本発明の実施形態２に係る光ディスク装置の概略構成を示す図である。
【図１３】図１２に示した光ディスク装置の一構成例を示す図である。
【図１４】図１３に示した光ヘッド装置の一構成例を示す図である。
【図１５】図１４に示したレンズユニットの一構成例を示す図である。
【図１６】実施形態２に係る情報担体判別処理の流れを示すフローチャートである。
【図１７】実施形態煮にかかわる開口下図及び波長を切り換えつつ情報媒体の種類を判別する情報担体判別処理の流れを示すフローチャートである。
【図１８】本発明の実施形態３に係る光ディスク装置の概略構成を示す図である。
【図１９】図１８に示した光ディスク装置の一構成例を示す図である。
【図２０】図１９に示した光ヘッド装置の１構成例を示す図である。
【図２１】図２０に示した波長選択開口の一構成例を示す図である。
【図２２】図２０に示した波長選択開口の他の構成例を示す図である。
【図２３】実施形態３に係る情報担体判別処理の流れを示すフローチャートである。
【図２４】実施形態３に係る開口数および波長を切り換えつつ情報媒体の種類を判別する情報担体判別処理の流れを示すフローチャートである。
【図２５】本発明の実施形態４に係る光ディスク装置の概略構成を示す図である。
【図２６】図２５に示した光ディスク装置の一構成例を示す図である。
【図２７】図２６に示した光ヘッド装置の一構成例を示す図である。
【図２８】実施形態４に係る光ビームの球面収差を説明する図である。
【図２９】実施形態４に係る球面収差の補正を説明する図である。
【図３０】実施形態４に係る情報担体判別処理の流れを示すフローチャートである。
【図３１】実施形態４に係る開口数、波長および球面収差補正量を切り換えつつ情報媒体の種類を判別する情報担体判別処理の流れを示すフローチャートである。
【図３２】本発明の実施形態５に係る光ディスク装置の概略構成を示す図である。
【図３３】本発明の実施形態６に係る情報面判別制御部を示す図である。
【図３４】図３３に示した光ディスク装置の概略構成を示す図である。
【図３５】図３３に示した情報担体の一例を示す図である。
【図３６】実施形態６に係る情報面判別処理の流れを示すフローチャートである。
【図３７】本発明の実施形態７に係る光ディスク装置の他の概略構成を示す図である。
【図３８】実施形態７に係る情報面判別方法を説明する図である。
【図３９】実施形態７に係る開口数を切り換えつつ情報媒体の情報面の種類を判別する情報面判別処理の流れを示すフローチャートである。
【図４０】本発明の実施形態８に係る光ディスク装置の概略構成を示す図である。
【図４１】実施形態８に係る情報面判別処理の流れを示すフローチャートである。
【図４２】実施形態８に係る開口数および波長を切り換えつつ情報面の種類を判別する情報面判別処理の流れを示すフローチャートである。
【図４３】本発明の実施形態９に係る光ディスク装置の概略構成を示す図である。
【図４４】実施形態９に係る情報面判別処理の流れを示すフローチャートである。
【図４５】実施形態９に係る開口数および波長を切り換えつつ情報面の種類を判別する情報面判別処理の流れを示すフローチャートである。
【図４６】本発明の実施形態１０に係る光ディスク装置の概略構成を示す図である。
【図４７】実施形態１０に係る情報面判別処理の流れを示すフローチャートである。
【図４８】実施形態１０に係る開口数、波長および球面収差補正量を切り換えつつ情報面の種類を判別する情報面判別処理の流れを示すフローチャートである。
【図４９】本発明の実施形態１１に係る光ディスク装置の概略構成を示す図である。
【図５０】本発明の実施形態１２に係る光ディスク装置の概略構成を示す図
【図５１】実施形態１２係る情報面判別処理の流れを示すフローチャートである。
【図５２】実施形態１２に係る開口数、波長および球面収差補正量を切り換えつつ情報面の種類を判別する情１２に係る情報面判別方法を説明する図である。
【図５３】実施形態１２に係る情報面判別方法を説明する図である。
【図５４】実施形態１２に係るフォーカスジャンプを示す図である。
【図５５】実施形態１２に係る情報面判別方法を説明するフローチャートである。
【符号の説明】
【０２３５】
１００，２００，３００，４００，５００，６００，６５０，７００，７２０，７４０，７６０  光ディスク装置
１０２，６０２  情報担体
１０４，２０２，３０４，４０２，５０２  光ディスク判別制御部
１０６，２０４，３０６，６０６，７０４，７２４  設定制御部
１０８，２０８，４０３，６０８，７０８，７４４  判別制御部
１１０，２０１，３０２，４０８  集束部
１１２  検出部
１１４  信号生成部
２０６，７０６  波長設定制御部
２１０  光源部
４０４，７４６  球面収差設定制御部
４０６  球面収差補正部
６０４，６５２，７０２，７２２，７４２，７６２  情報面判別制御部
６５８  移動制御部
６６０  カウント部
６６１  フォーカス制御部
６６２  垂直移動部
【図１】
2004311004.tif 000003
【図２】
2004311004.tif 000004
【図３】
2004311004.tif 000005
【図４】
2004311004.tif 000006
【図５】
2004311004.tif 000007
【図６】
2004311004.tif 000008
【図７】
2004311004.tif 000009
【図８】
2004311004.tif 000010
【図９】
2004311004.tif 000011
【図１０】
2004311004.tif 000012
【図１１】
2004311004.tif 000013
【図１２】
2004311004.tif 000014
【図１３】
2004311004.tif 000015
【図１４】
2004311004.tif 000016
【図１５】
2004311004.tif 000017
【図１６】
2004311004.tif 000018
【図１７】
2004311004.tif 000019
【図１８】
2004311004.tif 000020
【図１９】
2004311004.tif 000021
【図２０】
2004311004.tif 000022
【図２１】
2004311004.tif 000023
【図２２】
2004311004.tif 000024
【図２３】
2004311004.tif 000025
【図２４】
2004311004.tif 000026
【図２５】
2004311004.tif 000027
【図２６】
2004311004.tif 000028
【図２７】
2004311004.tif 000029
【図２８】
2004311004.tif 000030
【図２９】
2004311004.tif 000031
【図３０】
2004311004.tif 000032
【図３１】
2004311004.tif 000033
【図３２】
2004311004.tif 000034
【図３３】
2004311004.tif 000035
【図３４】
2004311004.tif 000036
【図３５】
2004311004.tif 000037
【図３６】
2004311004.tif 000038
【図３７】
2004311004.tif 000039
【図３８】
2004311004.tif 000040
【図３９】
2004311004.tif 000041
【図４０】
2004311004.tif 000042
【図４１】
2004311004.tif 000043
【図４２】
2004311004.tif 000044
【図４３】
2004311004.tif 000045
【図４４】
2004311004.tif 000046
【図４５】
2004311004.tif 000047
【図４６】
2004311004.tif 000048
【図４７】
2004311004.tif 000049
【図４８】
2004311004.tif 000050
【図４９】
2004311004.tif 000051
【図５０】
2004311004.tif 000052
【図５１】
2004311004.tif 000053
【図５２】
2004311004.tif 000054
【図５３】
2004311004.tif 000055
【図５４】
2004311004.tif 000056
【図５５】
2004311004.tif 000057